(57)【要約】表示装置は、観察者の頭部に装着されるフレーム、並びに、フレームに取り付けられた画像表示装置を備えており、画像表示装置は、画像形成装置１１０、導光板１２１、支持基板１４１、第１偏向手段１３１、第２偏向手段１３２、及び、支持基板１４１に取り付けられた光学部材１４２を備えており、画像形成装置１１０からの光は、第１偏向手段１３１において偏向され、導光板１２１の内部を全反射により伝播し、第２偏向手段１３２において偏向され、光学部材１４２に入射し、光学部材１４２は、入射した光を観察者２０の瞳２１に向けて出射し、第２偏向手段１３２と光学部材１４２との相対的な位置関係を変更するために、導光板１２１に対して支持基板１４１を移動させる移動装置１５０を更に備えている。
2018016163.tif 000002
【特許請求の範囲】
【請求項１】
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている画像表示装置。
【請求項２】
Ｘ方向及びＹ方向に直交する方向をＺ方向としたとき、移動装置は、更に、支持基板をＺ方向に移動させる請求項１に記載の画像表示装置。
【請求項３】
支持基板の移動によって、導光板に対して、支持基板を、Ｘ方向、又は、Ｘ方向及びＹ方向に移動させ、以て、光学部材は入射された光を観察者の瞳に向けて出射する請求項１に記載の画像表示装置。
【請求項４】
支持基板の移動に拘わらず、導光板の内部を全反射により伝播する光の導光板内における全反射回数は変わらない請求項１に記載の画像表示装置。
【請求項５】
画像形成装置から導光板へ向かう光を制御する画像移動手段を更に備えている請求項１に記載の画像表示装置。
【請求項６】
画像移動手段は、画像形成装置を、導光板に対して相対的に、Ｘ方向に移動させ、又は、Ｘ方向及びＹ方向に移動させ、又は、ＸＹ平面内を移動させる請求項５に記載の画像表示装置。
【請求項７】
画像移動手段は、画像形成装置から出射される光の出射位置を変える請求項５に記載の画像表示装置。
【請求項８】
第１偏向手段及び第２偏向手段はホログラム回折格子から成る請求項１に記載の画像表示装置。
【請求項９】
光学部材は、ホログラムレンズから成る請求項１に記載の画像表示装置。
【請求項１０】
画像形成装置は、レーザ光源、及び、ＭＥＭＳミラーから成る請求項１に記載の画像表示装置。
【請求項１１】
導光板は、画像形成装置からの光が入射する第１面、及び、第１面と対向する第２面を有しており、
第１偏向手段は、導光板の第１面又は第２面上に配置されており、
第２偏向手段は、導光板の第１面又は第２面上に配置されており、
光学部材は、導光板の第１面又は第２面に対向して配置されている請求項１に記載の画像表示装置。
【請求項１２】
観察者の瞳の像の位置に基づき、移動装置は支持基板を移動させる請求項１に記載の画像表示装置。
【請求項１３】
支持基板に隣接して、観察者の瞳の像を撮像する撮像装置を更に備えている請求項１２に記載の画像表示装置。
【請求項１４】
光学部材は正の光学的パワーを有する請求項１に記載の画像表示装置。
【請求項１５】
移動装置は、ラック・アンド・ピニオン、圧電素子、ボイスコイルモータ又は超音波モータを備えている請求項１に記載の画像表示装置。
【請求項１６】
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている表示装置。
【請求項１７】
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている表示装置の調整方法であって、
画像形成装置からの光を、第１偏向手段において偏向させ、導光板の内部を全反射により伝播させ、第２偏向手段において偏向させ、光学部材に入射させ、移動装置によって、導光板に対して、支持基板を、Ｘ方向、又は、Ｘ方向及びＹ方向に移動させ、以て、光学部材から出射された光を観察者の瞳に入射させる、表示装置の調整方法。
【請求項１８】
移動装置によって、導光板に対して、支持基板を、Ｘ方向、又は、Ｘ方向及びＹ方向に移動させ、以て、光学部材から出射され、観察者の瞳に入射する画像の光強度の最適化を図る請求項１７に記載の表示装置の調整方法。
【請求項１９】
観察者の瞳の像の位置に基づき、移動装置によって支持基板を移動させる請求項１７に記載の表示装置の調整方法。
【発明の詳細な説明】
【技術分野】
【０００１】
本開示は、画像表示装置、係る画像表示装置を備えた表示装置、及び、表示装置の調整方法に関し、より具体的には、頭部装着型ディスプレイ（ＨＭＤ，Head Mounted Display）に用いられる画像表示装置、係る画像表示装置を備えた表示装置、及び、表示装置の調整方法に関する。
【背景技術】
【０００２】
画像形成装置によって形成された２次元画像を虚像光学系により拡大虚像として観察者に観察させるための虚像表示装置（画像表示装置）が、例えば、特開２０１２−０４２６５４から周知である。【０００３】
概念図を図２９に示すように、この画像表示装置１１００は、基本的には、画像を表示する画像形成装置１１１０と、レンズ系１１１５と、画像形成装置１１１０に表示された光が入射され、観察者２０の瞳２１へと導く光学手段１１２０とを備えている。ここで、光学手段１１２０は、導光板１１２１と、導光板１１２１に設けられた反射型体積ホログラム回折格子から成る第１回折格子部材１１３１及び第２回折格子部材１１３２を備えている。そして、レンズ系１１１５には画像形成装置１１１０の各画素から出射された光が入射され、レンズ系１１１５によって平行光が生成され、導光板１１２１第１面１１２２から導光板１１２１に入射され、第１面１１２２から出射される。導光板１１２１の第１面１１２２と平行である導光板１１２１の第２面１１２３に、第１回折格子部材１１３１及び第２回折格子部材１１３２が取り付けられている。【０００４】
画像形成装置１１１０は、光源１１１１、光源１１１１から出射された光を平行光とするコリメート光学系１１１２、及び、コリメート光学系１１１２から出射された平行光を走査する走査手段１１１４から構成されている。尚、画像形成装置１１１０全体が筐体１１１６（一点鎖線で示す）内に納められている。光源１１１１は、白色を発光する発光素子から構成されており、光源１１１１から出射された光は、全体として正の光学的パワーを持つコリメート光学系１１１２に入射し、平行光として出射される。そして、この平行光は、全反射ミラー１１１３で反射され、マイクロミラーを二次元方向に回転自在とし、入射した平行光を２次元的に走査することができるＭＥＭＳミラーから成る走査手段１１１４によって、光源１１１１からの光が水平走査及び垂直走査が行われ、一種の２次元画像化される。【０００５】
また、この特許公開公報に開示された画像表示装置は、画像形成装置１１１０の光軸とレンズ系１１１５の光軸とを水平方向に相対的に移動させる移動装置を更に備えている。そして、移動装置によって画像形成装置の光軸と光学系の光軸とを水平方向に相対的に移動させることで、輻輳角を調整している。【０００６】
観察者の瞳に、直接、画像を描画する直描タイプの頭部装着型ディスプレイが、例えば、特開２００１−００４９５６から周知である。
【先行技術文献】
【特許文献】
【０００７】
【特許文献１】特開２０１２−０４２６５４
【特許文献２】特開２００１−００４９５６
【発明の概要】
【発明が解決しようとする課題】
【０００８】
ところで、実際の表示装置の使用にあっては、観察者２０が表示装置を装着する状態、あるいは、装着している状態が、屡々、変化する。即ち、観察者２０の瞳２１の位置と第２回折格子部材１１３２の相対的な位置関係に変化が生じるし、あるいは又、生じ易い。そして、このような変化が生じると、画像形成装置１１１０において形成された画像が、観察者２０の瞳２１に適切に到達しなくなるといった問題がある。特に、第２回折格子部材１１３２から出射された光を観察者２０の瞳２１に入射させる系を想定した場合、観察者２０の瞳２１の位置と第２回折格子部材１１３２の相対的な位置関係に少しの変化が生じても、画像形成装置１１１０において形成された画像が観察者２０の瞳２１に適切に到達しなくなる虞がある。しかしながら、上記の特許公開公報には、このような問題に関して、何ら言及がなされていない。【０００９】
従って、本開示の目的は、観察者が表示装置を装着する（装着している）状態の変化に容易に対処し得る構成、構造を有する画像表示装置、係る画像表示装置を備えた表示装置、及び、係る表示装置の調整方法を提供することにある。
【課題を解決するための手段】
【００１０】
上記の目的を達成するための本開示の画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている。【００１１】
上記の目的を達成するための本開示の表示装置は、
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている。【００１２】
上記の目的を達成するための本開示の表示装置の調整方法は、
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている表示装置の調整方法であって、
画像形成装置からの光を、第１偏向手段において偏向させ、導光板の内部を全反射により伝播させ、第２偏向手段において偏向させ、光学部材に入射させ、移動装置によって、導光板に対して、支持基板を、Ｘ方向、又は、Ｘ方向及びＹ方向に移動させ、以て、光学部材から出射された光を観察者の瞳に入射させる。
【発明の効果】
【００１３】
本開示の画像表示装置、本開示の表示装置に備えられた画像表示装置、本開示の表示装置の調整方法における画像表示装置にあっては、第２偏向手段と光学部材との相対的な位置関係を変更するために、導光板に対して支持基板を移動させる移動装置を備えているが故に、観察者が表示装置を装着する（装着している）状態の変化に容易に対処し得る。尚、本明細書に記載された効果はあくまで例示であって限定されるものでは無く、また、付加的な効果があってもよい。
【図面の簡単な説明】
【００１４】
【図１】図１は、実施例１の画像表示装置の概念図である。
【図２】図２は、実施例１の表示装置の使用において、光学部材の光軸と眼球の視軸にズレが生じているときの画像表示装置の概念図である。
【図３】図３は、実施例１の表示装置において、導光板に対して、支持基板を移動させた後の状態を示す画像表示装置の概念図である。
【図４】図４は、実施例１の表示装置を上方から眺めた模式図である。
【図５】図５は、実施例１の表示装置を正面から眺めた模式図である。
【図６】図６Ａ及び図６Ｂは、それぞれ、実施例１の表示装置を側方から眺めた模式図、及び、実施例１の表示装置における反射型体積ホログラム回折格子の一部を拡大して示す模式的な断面図であり、図６Ｃは、実施例１の画像表示装置の変形例における光学系を説明する概念図である。
【図７】図７は、実施例１の導光板、支持基板等の模式的な透視斜視図である。
【図８】図８は、実施例２の画像表示装置の概念図である。
【図９】図９は、実施例３の画像表示装置（実施例１の変形）の概念図である。
【図１０】図１０は、実施例３の画像表示装置（実施例２の変形）の概念図である。
【図１１】図１１は、実施例４の画像表示装置の概念図である。
【図１２】図１２は、実施例５の画像表示装置の概念図である。
【図１３】図１３Ａ、図１３Ｂ、図１３Ｃ及び図１３Ｄは、実施例６の画像表示装置における第１偏向手段、第２偏向手段、光学部材の配置状態を示す概念図である。
【図１４】図１４Ａ、図１４Ｂ、図１４Ｃ、図１４Ｄ及び図１４Ｅは、実施例６の画像表示装置における第１偏向手段、第２偏向手段、光学部材の配置状態を示す概念図である。
【図１５】図１５は、実施例７の表示装置における画像表示装置の概念図である。
【図１６】図１６は、実施例７の表示装置を上方から眺めた模式図である。
【図１７】図１７は、実施例７の表示装置を側方から眺めた模式図である。
【図１８】図１８は、実施例７の表示装置における画像表示装置の変形例の概念図である。
【図１９】図１９は、実施例８の表示装置における画像表示装置の概念図である。
【図２０】図２０は、実施例８の表示装置を上方から眺めた模式図である。
【図２１】図２１Ａ及び図２１Ｂは、それぞれ、実施例８の表示装置を側方から眺めた模式図、及び、実施例８の表示装置における導光板及び調光装置の部分を正面から眺めた模式図である。
【図２２】図２２Ａ及び図２２Ｂは、実施例８の表示装置における調光装置の模式的な断面図、及び、調光装置の模式的な正面図である。
【図２３】図２３Ａ、図２３Ｂ及び図２３Ｃは、調光装置の虚像投影領域の変化等を模式的に示す図である。
【図２４】図２４は、導光板に形成される虚像に外接する仮想矩形と、調光装置の虚像投影領域の矩形形状とを、模式的に示す図である。
【図２５】図２５Ａ及び図２５Ｂは、それぞれ、実施例９の表示装置を上方から眺めた模式図、及び、環境照度測定センサを制御する回路の模式図である。
【図２６】図２６Ａ及び図２６Ｂは、それぞれ、実施例１０の表示装置を上方から眺めた模式図、及び、透過光照度測定センサを制御する回路の模式図である。
【図２７】図２７は、光学部材の焦点距離を可変とするためのフレネルレンズ・タイプの液体レンズの模式的な断面図である。
【図２８】図２８は、光学部材の焦点距離を可変とするためのフレネルレンズ・タイプの液体レンズの模式的な平面図である。
【図２９】図２９は、従来の画像表示装置の概念図である。
【発明を実施するための形態】
【００１５】
以下、図面を参照して、実施例に基づき本開示を説明するが、本開示は実施例に限定されるものではなく、実施例における種々の数値や材料は例示である。尚、説明は、以下の順序で行う。
１．本開示の画像表示装置、本開示の表示装置、本開示の表示装置の調整方法、全般に関する説明
２．実施例１（本開示の画像表示装置、本開示の表示装置、本開示の表示装置の調整方法）
３．実施例２（実施例１の変形）
４．実施例３（実施例１〜実施例２の変形）
５．実施例４（実施例１〜実施例３の変形）
６．実施例５（実施例１〜実施例４の変形）
７．実施例６（実施例１〜実施例２、実施例４〜実施例５の変形）
８．実施例７（実施例１〜実施例６の変形）
９．実施例８（実施例１〜実施例７の変形）
１０．実施例９（実施例８の変形）
１１．実施例１０（実施例８の別の変形）
１２．その他
【００１６】
〈本開示の画像表示装置、本開示の表示装置、本開示の表示装置の調整方法、全般に関する説明〉
本開示の表示装置の調整方法にあっては、移動装置によって、導光板に対して、支持基板を、Ｘ方向、又は、Ｘ方向及びＹ方向に移動させ、以て、光学部材から出射され、観察者の瞳に入射する画像の光強度の最適化（具体的には、例えば、観察者の瞳に入射される画像の光強度の最大化）を図る形態とすることができる。更には、この好ましい形態を含む本開示の表示装置の調整方法にあっては、観察者の瞳の像の位置に基づき、移動装置によって支持基板を移動させる形態とすることができる。
【００１７】
観察者が表示装置を装着する（装着している）状態が変化したとき、画像形成装置で形成された画像が観察者の瞳に入射しなくなるので（あるいは、入射状態にズレが生じるので）、即ち、画像形成装置で形成された画像が観察者の網膜に結像しなくなるので（あるいは、結像状態にズレが生じるので）、移動装置によって支持基板を導光板に対して移動させるが、この移動は、観察者の指示（観察者による調整）に基づき行う形態とすることができる。あるいは又、上記のとおり、観察者の瞳の像の位置に基づき支持基板を移動させる形態とすることができる。
【００１８】
本開示の画像表示装置、本開示の表示装置を構成する画像表示装置、本開示の表示装置の調整方法における表示装置を構成する画像表示装置（これらを総称して、『本開示の画像表示装置等』と呼ぶ）において、Ｘ方向及びＹ方向に直交する方向をＺ方向としたとき、移動装置は、更に、支持基板をＺ方向に移動させる形態とすることができる。
【００１９】
上記の好ましい形態を含む本開示の画像表示装置等にあっては、支持基板の移動によって、導光板に対して、支持基板を、Ｘ方向、又は、Ｘ方向及びＹ方向に移動させ、以て、光学部材は入射された光を観察者の瞳に向けて出射する形態とすることができる。
【００２０】
以上に説明した各種の好ましい形態を含む本開示の画像表示装置等にあっては、支持基板の移動に拘わらず、導光板の内部を全反射により伝播する光の導光板内における全反射回数は変わらない形態とすることができる。全反射回数（第１偏向手段によって偏向された光が、第２偏向手段に衝突する前に、導光板の内面と衝突する回数）として、例えば、２回乃至４回を例示することができる。全反射回数をこのような少ない回数に規定することで、後述する導光板の平行平板状態に対する要求精度を低くすることができ、導光板を構成する材料の選択幅が広がる。また、各偏向手段において、偏向手段に入射した光が偏向手段内で複数回偏向されることが無くなるため、表示画像品質の低下を回避することができる。尚、「全反射」という用語は、内部全反射、あるいは、導光板内部における全反射を意味する。
【００２１】
更には、以上に説明した各種の好ましい形態を含む本開示の画像表示装置等にあっては、画像形成装置から導光板へ向かう光を制御する画像移動手段を更に備えている形態とすることができる。そして、この場合、画像移動手段は、画像形成装置を、導光板に対して相対的に、Ｘ方向に移動させる形態、又は、Ｘ方向及びＹ方向に移動させる形態、又は、ＸＹ平面内を移動させる形態とすることができる。あるいは又、この場合、画像移動手段は、画像形成装置から出射される光の出射位置を変える形態とすることができる。
【００２２】
更には、以上に説明した各種の好ましい形態を含む本開示の画像表示装置等において、第１偏向手段及び第２偏向手段はホログラム回折格子から成る形態とすることができる。
【００２３】
更には、以上に説明した各種の好ましい形態を含む本開示の画像表示装置等において、光学部材は、ホログラムレンズから成る形態とすることができる。
【００２４】
更には、以上に説明した各種の好ましい形態を含む本開示の画像表示装置等において、画像形成装置は、光源、及び、光源から出射された光を走査して画像を形成する走査手段を備えている形態とすることができる。具体的には、画像形成装置は、レーザ光源、及び、ＭＥＭＳミラーから成る形態とすることができるが、このような形態に限定するものではない。具体的には後述する。
【００２５】
更には、以上に説明した各種の好ましい形態を含む本開示の画像表示装置等において、
導光板は、画像形成装置からの光が入射する第１面、及び、第１面と対向する第２面を有しており、
第１偏向手段は、導光板の第１面又は第２面上に配置されており、
第２偏向手段は、導光板の第１面又は第２面上に配置されており、
光学部材は、導光板の第１面又は第２面に対向して配置されている形態とすることができる。尚、導光板と対向する支持基板の面を第１面と呼び、第１面と対向する面を第２面と呼ぶ。支持基板は、導光板の第１面に対向して配置されており、光学部材は支持基板の第１面又は第２面に配置されている。あるいは又、支持基板は、導光板の第２面に対向して配置されており、光学部材は支持基板の第１面又は第２面に配置されている。即ち、第１偏向手段、第２偏向手段及び光学部材の配置状態は１６通りある。
【００２６】
更には、以上に説明した各種の好ましい形態を含む本開示の画像表示装置等にあっては、観察者の瞳の像の位置に基づき、移動装置は支持基板を移動させる形態とすることができる。そして、この場合、支持基板に隣接して、観察者の瞳の像を撮像する撮像装置を更に備えている形態とすることができるが、このような形態に限定するものではない。このように観察者の瞳の位置を検出することで、画像形成装置で形成された画像を観察者の瞳に一層確実に入射させることができる。撮像装置は、具体的には、例えば、ＣＣＤあるいはＣＭＯＳセンサから成る固体撮像素子とレンズから構成すればよく、例えば、支持基板に取り付けられている。このように、撮像装置を支持基板に取り付ければ、撮像装置が支持基板と一体となって移動するので、観察者の瞳に対する移動量が少なくなり、観察者の瞳の一層正確な検出が可能となる。撮像装置の出力は、後述する制御装置（制御回路）に送出される。
【００２７】
更には、以上に説明した各種の好ましい形態を含む本開示の画像表示装置等において、光学部材は正の光学的パワーを有する形態とすることができる。
【００２８】
更には、以上に説明した各種の好ましい形態を含む本開示の画像表示装置等において、移動装置は、ラック・アンド・ピニオン、圧電素子、ボイスコイルモータ又は超音波モータを備えている形態とすることができる。尚、移動装置として、これらの装置を組み合わせて用いることもできる。
【００２９】
そして、支持基板をラックギア部に取り付け、ピニオンギア部を支持部材に取り付け、支持部材を、例えば、後述するフレームや画像形成装置の筐体に取り付ければよい。これによって、ピニオンギア部を回動させることで、ピニオンギア部と螺合したラックギア部が移動し、支持基板を、Ｘ方向、又は、Ｘ方向及びＹ方向に移動させることができる。あるいは、支持基板と支持部材との間に圧電素子やボイスコイルモータ、超音波モータを配設し、支持部材を、例えば、フレームや画像形成装置の筐体に取り付ければよい。
【００３０】
レンズ系として、凸レンズ、凹レンズ、自由曲面プリズム、ホログラムレンズを、単独、若しくは、組み合わせた、全体として正の光学的パワーを持つ光学系を例示することができる。レンズ系の有する正の光学的パワーの値は、光学部材の有する正の光学的パワーの値よりも大きい形態とすることができる。光学的パワーは焦点距離の逆数であるが故に、云い換えれば、光学部材の焦点距離は、レンズ系の焦点距離よりも長い形態とすることができる。レンズ系の前方焦点（画像形成装置側の焦点）の位置に、場合によっては、絞りが配置されている。光学部材は、場合によっては、一種の凹面鏡を構成し、光学部材の後方焦点の位置に観察者の瞳（具体的には、観察者の水晶体）が位置する。
【００３１】
場合によっては、レンズ系を液体レンズから構成することもできる。係る液体レンズは、エレクトロウェッティング現象を利用した周知の液体レンズから構成すればよい。液体レンズの作動によって、レンズ系の光軸を水平方向に移動させることができるし、あるいは又、ＸＹ平面に対するレンズ系の光軸の角度を変更することができる。また、場合によっては、レンズ系を液体プリズムから構成することもできる。係る液体プリズムは、エレクトロウェッティング現象を利用した周知の液体プリズムから構成すればよい。液体プリズムの作動によって、例えば、ＸＹ平面に対するレンズ系の光軸の角度を変更することができる。
【００３２】
以上に説明した各種の好ましい形態、構成を含む本開示の画像表示装置等において、前述したとおり、画像形成装置は、光源、及び、光源から出射された光を走査して画像を形成する走査手段を備えている形態とすることができる。尚、このような画像形成装置を、便宜上、『第１構成の画像形成装置』と呼ぶ。
【００３３】
第１構成の画像形成装置において、光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第１構成の画像形成装置における画素（仮想の画素）の数は、画像表示装置に要求される仕様に基づき決定すればよく、画素（仮想の画素）の数の具体的な値として、３２０×２４０、４３２×２４０、６４０×４８０、８５４×４８０、１０２４×７６８、１９２０×１０８０等を例示することができる。また、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）ミラーやガルバノ・ミラーを挙げることができる。尚、ＭＥＭＳミラーやガルバノ・ミラーが、画像形成装置から画像が出射される画像出射部に該当する。
【００３４】
但し、画像形成装置は、このような画像形成装置に限定されるものではなく、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができる。尚、このような画像形成装置を、便宜上、『第２構成の画像形成装置』と呼ぶ。この中でも、有機ＥＬ発光素子から構成された画像形成装置、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて導光板へと導く偏光ビームスプリッターから成る構成とすることができる。光源を構成する発光素子として、赤色発光素子、緑色発光素子、青色発光素子、白色発光素子を挙げることができる。あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、８５４×４８０、１０２４×７６８、１９２０×１０８０等を例示することができる。尚、第２構成の画像形成装置にあっては、レンズ系の前方焦点（画像形成装置側の焦点）の位置に絞りが配置されており、この絞りが、画像形成装置から画像が出射される画像出射部に該当する。
【００３５】
第１偏向手段がホログラム回折格子から構成されている場合、第１偏向手段は、導光板に入射された光を回折反射し、第２偏向手段は、導光板の内部を全反射により伝播した光を回折反射する。ホログラム回折格子は、反射型のホログラム回折格子から成る構成とすることができるし、あるいは又、透過型のホログラム回折格子から成る構成とすることができるし、あるいは又、一方のホログラム回折格子は反射型のホログラム回折格子から成り、他方のホログラム回折格子は透過型のホログラム回折格子から成る構成とすることができる。尚、反射型のホログラム回折格子として、反射型体積ホログラム回折格子を挙げることができる。反射型体積ホログラム回折格子とは、＋１次の回折光のみを回折反射するホログラム回折格子を意味する。ホログラム回折格子から成る第１偏向手段を、便宜上、『第１回折格子部材』と呼び、ホログラム回折格子から成る第２偏向手段を、便宜上、『第２回折格子部材』と呼ぶ場合がある。例えば、第２偏向手段によって回折反射された光は、光学部材に入射し、次いで、光学部材から出射され、第２偏向手段を通過して、観察者の瞳に入射させられる。尚、光学部材から出射された光であって第２偏向手段を通過する際の光の相当の部分は、第２偏向手段における回折条件を満たしていないので、第２偏向手段において回折反射されることなく、観察者の瞳に入射する。
【００３６】
あるいは又、第１偏向手段は、例えば、合金を含む金属から構成され、導光板に入射された光を反射させる光反射膜（一種のミラー）から構成することができるし、誘電体積層膜が多数積層された多層積層構造体、ハーフミラー、偏光ビームスプリッターから構成することもできる。
【００３７】
本開示の画像表示装置等によって、単色（例えば、緑色）の画像表示を行うことができる。そして、この場合、第１偏向手段は、１枚のホログラム回折格子から構成とすることができる。また、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、Ｐ層のホログラム回折格子が積層されて成る構成とすることができる。各ホログラム回折格子には１種類の波長帯域（あるいは、波長）に対応する干渉縞が形成されている。あるいは又、異なるＰ種類の波長帯域（あるいは、波長）を有するＰ種類の光の回折反射に対応するために、１枚のホログラム回折格子にＰ種類の干渉縞が形成されている構成とすることもできる。あるいは又、例えば、第１導光板に、赤色の波長帯域（あるいは、波長）を有する光を回折反射させるホログラム回折格子を配し、第２導光板に、緑色の波長帯域（あるいは、波長）を有する光を回折反射させるホログラム回折格子を配し、第３導光板に、青色の波長帯域（あるいは、波長）を有する光を回折反射させるホログラム回折格子を配し、これらの第１導光板、第２導光板及び第３導光板を隙間を開けて積層する構造を採用してもよい。あるいは又、１種類の波長帯域を例えば三等分して、第１回折格子部材あるいは第２回折格子部材を、各三等分された各波長帯域に対応するホログラム回折格子がそれぞれ積層されて成る構成とすることができるし、あるいは又、１枚のホログラム回折格子に各三等分された各波長帯域の干渉縞が形成されている構成とすることもできる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００３８】
回折格子部材を構成する材料として、フォトポリマー材料を挙げることができる。ホログラム回折格子から成る第１回折格子部材及び第２回折格子部材の構成材料や基本的な構造は、従来のホログラム回折格子の構成材料や構造と同じとすればよい。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材の表面と干渉縞の成す角度を意味する。第１回折格子部材及び第２回折格子部材を、Ｐ層のホログラム回折格子の積層構造から構成する場合、このようなホログラム回折格子の積層は、Ｐ層のホログラム回折格子をそれぞれ別個に作製した後、Ｐ層のホログラム回折格子を、例えば、紫外線硬化型接着剤を使用して積層（接着）すればよい。また、粘着性を有するフォトポリマー材料を用いて１層のホログラム回折格子を作製した後、その上に順次粘着性を有するフォトポリマー材料を貼り付けてホログラム回折格子を作製することで、Ｐ層のホログラム回折格子を作製してもよい。作製されたホログラム回折格子に、必要に応じてエネルギー線を照射することで、ホログラム回折格子の物体光及び参照光の照射時に重合せずに残ったフォトポリマー材料中のモノマーを重合させて、定着させる。また、必要に応じて、熱処理を行い、安定化させる。
【００３９】
ホログラムレンズを構成する材料として、フォトポリマー材料を挙げることができる。ホログラムレンズの構成材料や基本的な構造は、従来のホログラムレンズの構成材料や構造と同じとすればよい。ホログラムレンズには、レンズ（より具体的には、凹面鏡）としての機能を発揮させるための干渉縞が形成されているが、係る干渉縞それ自体の形成方法は、従来の形成方法と同じとすればよい。具体的には、例えば、ホログラムレンズを構成する部材（例えば、フォトポリマー材料）に対して一方の側の第１の所定の方向から物体光を照射し、同時に、ホログラムレンズを構成する部材に対して他方の側の第２の所定の方向から参照光を照射し、物体光と参照光とによって形成される干渉縞をホログラムレンズを構成する部材の内部に記録すればよい。例えば、物体光、参照光の一方を発散ビームとし、他方を集束ビームとする。第１の所定の方向、第２の所定の方向、物体光及び参照光の波長を適切に選択することで、ホログラムレンズに適切な干渉縞を形成することができ、これによって、所望の正の光学的パワーを付与することができる。
【００４０】
回折格子部材やホログラムレンズの保護のために、透明保護部材を配設してもよい。具体的には、導光板の外縁部と透明保護部材の外縁部とを、封止部材によって封止し、あるいは、接着してもよい。シール剤とも呼ばれる封止部材として、エポキシ系樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。
【００４１】
以上に説明した各種の好ましい形態、構成を含む本開示の表示装置において、少なくとも観察者の瞳に対向する画像表示装置の部分を半透過（シースルー）とし、この部分を通して外景を眺めることができることが好ましい。具体的には、光学部材及び第２偏向手段は半透過型（シースルー型）である形態とすることが好ましいし、支持基板は透明な材料から構成されていることが好ましい。
【００４２】
導光板は、導光板の軸線（長手方向、水平方向であり、Ｘ方向に該当する）と平行に延びる２つの平行面（第１面及び第２面）を有している。尚、導光板の幅方向（高さ方向、垂直方向）はＹ方向に該当する。光が入射する導光板の面を導光板入射面、光が出射する導光板の面を導光板出射面としたとき、第１面によって導光板入射面及び導光板出射面が構成されていてもよいし、第２面によって導光板入射面が構成され、第１面によって導光板出射面が構成されていてもよい。ホログラム回折格子の干渉縞は、概ねＹ方向と平行に延びる。導光板や支持基板（支持板）、透明保護部材を構成する材料として、また、後述する調光装置における第１基板や第２基板を構成する材料として、石英ガラスやＢＫ７等の光学ガラス、ソーダライムガラス、白板ガラスを含むガラスや、プラスチック材料（例えば、ＰＭＭＡ、ポリカーボネート樹脂、ポリカーボネート樹脂とアクリル系樹脂の積層構造、アクリル系樹脂、シクロオレフィンポリマー、非晶性のポリプロピレン系樹脂、ＡＳ樹脂を含むスチレン系樹脂）を挙げることができる。導光板等の形状は、平板に限定するものではなく、湾曲した形状を有していてもよい。
【００４３】
本開示の表示装置において、第１偏向手段を覆うように、導光板の第２面の外側に遮光部材が配置されている構成とすることができる。そして、この場合、導光板への第１偏向手段の正射影像は、導光板への遮光部材の正射影像に含まれる構成とすることができる。
【００４４】
あるいは又、本開示の表示装置において、画像形成装置から出射された光が入射される第１偏向手段の領域には、第１偏向手段への外光の入射を遮光する遮光部材が配置されている構成とすることができる。画像形成装置から出射された光が入射される導光板の領域に、導光板への外光の入射を遮光する遮光部材を配置することで、画像形成装置から出射された光が入射される導光板の領域には外光が入射しないので、不所望の迷光等が発生し、表示装置における画像表示品質が低下するといったことが無い。尚、遮光部材の導光板への正射影像内に、画像形成装置から出射された光が入射される導光板の領域が含まれる形態とすることが好ましい。
【００４５】
具体的には、遮光部材は、導光板の画像形成装置が配された側とは反対側に、導光板と離間して配されている構成とすることができる。このような構成の表示装置にあっては、遮光部材を、例えば、不透明なプラスチック材料から作製すればよい。そして、このような遮光部材は、画像形成装置の筐体から一体に延び、あるいは又、画像形成装置の筐体に取り付けられ、あるいは又、フレームから一体に延び、あるいは又、フレームに取り付けられている形態とすることができる。あるいは又、遮光部材は、導光板に取り付けられ、あるいは又、配されている構成とすることができるし、遮光部材は、次に述べる調光装置に配されている構成とすることもできる。この場合、遮光部材の導光板への正射影像内に、調光装置の端部の導光板への正射影像が含まれる構成とすることが好ましい。不透明な材料から成る遮光部材を、例えば、導光板の面上に物理的気相成長法（ＰＶＤ法）や化学的気相成長法（ＣＶＤ法）に基づき形成してもよいし、印刷法等によって形成してもよいし、不透明な材料（プラスチック材料や金属材料、合金材料等）から成るフィルムやシート、箔を貼り合わせてもよい。
【００４６】
導光板の第２面側に調光装置が配されていてもよい。調光装置は、例えば、
第１基板、
第１基板と対向する第２基板、
第２基板と対向する第１基板の対向面に設けられた第１透明電極、
第１基板と対向する第２基板の対向面に設けられた第２透明電極、及び、
第１透明電極と第２透明電極とによって挟まれた調光層、
から成る形態とすることができる。そして、この場合、例えば、
第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域（調光装置の遮光率が変化する最小単位領域）に対応する調光装置の部分の遮光率の制御は、第１透明電極セグメント及び第２透明電極セグメントに印加する電圧の制御に基づき行われる形態とすることができる。即ち、遮光率の制御を単純マトリクス方式に基づき行うことができる。第１の方向と第２の方向とは直交している形態を例示することができる。
【００４７】
あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。あるいは又、第１透明電極及び第２透明電極の少なくとも一方を所謂ベタ電極（パターニングされていない電極）とすることもできる。
【００４８】
導光板は第１基板を兼ねている構成とすることができ、このような構成とすることで、表示装置全体の重量の減少を図ることができ、表示装置の使用者（観察者）に不快感を感じさせる虞が無い。第２基板は第１基板よりも薄い構成とすることができる。調光装置を備えた表示装置にあっては、画像形成装置において画像を表示するための信号に基づき、調光装置の実際に調光する領域の大きさ及び位置を決定する。調光装置の大きさは、導光板と同じ大きさでもよいし、大きくてもよいし、小さくともよい。要は、調光装置の正射影像内に第２偏向手段及び光学部材（あるいは、虚像形成領域）が位置していればよい。
【００４９】
調光装置の最高光透過率は５０％以上であり、調光装置の最低光透過率は３０％以下である構成とすることができる。尚、調光装置の最高光透過率の上限値として９９％を挙げることができるし、調光装置の最低光透過率の下限値として１％を挙げることができる。ここで、
（光透過率）＝１−（遮光率）
の関係にある。
【００５０】
場合によっては、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。尚、前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。
【００５１】
更には、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。また、調光装置にコネクタを取り付け、調光装置の遮光率（光透過率）を制御するための制御回路（例えば、画像形成装置及び移動装置を制御するための制御装置に含まれている）にこのコネクタ及び配線を介して調光装置を電気的に接続すればよい。調光装置を湾曲させてもよい。
【００５２】
調光装置を備えた本開示の表示装置において、表示装置の置かれた環境の照度を測定する環境照度測定センサを更に備えており、環境照度測定センサの測定結果に基づき、調光装置の遮光率を制御する形態とすることができる。あるいは又、表示装置の置かれた環境の照度を測定する環境照度測定センサを更に備えており、環境照度測定センサの測定結果に基づき、画像形成装置によって形成される画像の輝度を制御する形態とすることができる。これらの形態を組み合わせてもよい。
【００５３】
あるいは又、調光装置を備えた本開示の表示装置において、外部環境から調光装置を透過した光に基づく照度を測定する透過光照度測定センサを更に備えており、透過光照度測定センサの測定結果に基づき、調光装置の遮光率を制御する形態とすることができる。あるいは又、外部環境から調光装置を透過した光に基づく照度を測定する透過光照度測定センサを更に備えており、透過光照度測定センサの測定結果に基づき、画像形成装置によって形成される画像の輝度を制御する形態とすることができる。尚、透過光照度測定センサは、導光板よりも観察者側に配置されている形態とすることが望ましい。透過光照度測定センサを、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の環境照度測定センサの測定結果に基づき制御を行う形態とを組み合わせてもよい。
【００５４】
環境照度測定センサ、透過光照度測定センサは、周知の照度センサから構成すればよいし、環境照度測定センサ、透過光照度測定センサの制御は周知の制御回路に基づき行えばよい。
【００５５】
前述したとおり、導光板は半透過型（シースルー型）である。具体的には、少なくとも観察者の眼球（瞳）に対向する導光板の部分を半透過（シースルー）とし、導光板のこの部分（及び、調光装置が配されている場合には、更に、調光装置）を通して外景を眺めることができる。本開示の表示装置は、画像表示装置を１つ備えていてもよいし（片眼型）、２つ備えていてもよい（両眼型）。調光装置が配されている場合、両眼型にあっては、画像を表示するための信号に基づき、両方の画像表示装置において調光装置の一部の領域の光透過率を変化させてもよいし、一方の画像表示装置において調光装置の一部の領域の光透過率を変化させてもよい。
【００５６】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００５７】
フレームは、観察者の正面に配置されるフロント部、フロント部の両端に蝶番を介して回動自在に取り付けられた２つのテンプル部を備えている。尚、各テンプル部の先端部にはモダン部が取り付けられている。フロント部はリムを有していてもよい。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置の全体を眺めたとき、フレーム（リムを含む場合がある）及びノーズパッドの組立体は、通常の眼鏡と略同じ構造を有する。ノーズパッドも周知の構成、構造とすることができる。
【００５８】
調光装置が備えられている場合、調光装置はフロント部に配設されている形態とすることができる。また、導光板は調光装置に取り付けられている形態とすることができる。尚、導光板は、隙間を開けた状態で調光装置に取り付けられていればよい。また、調光装置はリムに嵌め込まれている形態とすることができる。あるいは又、第１基板及び第２基板の少なくとも一方を、例えば、フレームに取り付けてもよい。但し、これらに限定するものではない。観察者側から、導光板、調光装置の順に配してもよいし、調光装置、導光板の順に配してもよい。
【００５９】
表示装置のデザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることが一層望ましい。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。
【００６０】
あるいは又、本開示の表示装置を両眼型とする場合、
導光板は、全体として画像形成装置よりも観察者の顔の中心側に配置されており、
２つの画像表示装置を結合する結合部材を更に有し、
結合部材は、観察者の２つの瞳の間に位置するフレームの中央部分の観察者に面する側に取り付けられており、
結合部材の射影像は、フレームの射影像内に含まれる構成とすることができる。
【００６１】
このように、結合部材が、観察者の２つの瞳の間に位置するフレームの中央部分に取り付けられている構造とすることによって、即ち、画像表示装置は、フレームに、直接、取り付けられた構造とはなっていなければ、観察者がフレームを頭部に装着したとき、テンプル部が外側に向かって広がった状態となり、その結果、フレームが変形したとしても、係るフレームの変形によって、画像形成装置あるいは導光板の変位（位置変化）が生じることがないか、生じたとしても、極僅かである。それ故、左右の画像の輻輳角が変化してしまうことを確実に防止することができる。しかも、フレームのフロント部の剛性を高める必要がないので、フレームの重量増加、デザイン性の低下、コストの増加を招くことがない。また、画像表示装置は、フレームに、直接、取り付けられていないので、観察者の嗜好によってフレームのデザインや色等を自由に選択することが可能であるし、フレームのデザインが受ける制約も少なく、デザイン上の自由度が高い。加えて、結合部材は、観察者とフレームとの間に配置されており、しかも、結合部材の射影像は、フレームの射影像内に含まれる。云い換えれば、観察者の正面から頭部装着型ディスプレイを眺めたとき、結合部材はフレームによって隠されている。従って、高いデザイン性、意匠性を頭部装着型ディスプレイに与えることができる。
【００６２】
尚、結合部材は、観察者の２つの瞳の間に位置するフロント部の中央部分（通常の眼鏡におけるブリッジの部分に相当する）の観察者に面する側に取り付けられている構成とすることが好ましい。
【００６３】
結合部材によって２つの画像表示装置が結合されているが、具体的には、結合部材の各端部に、画像形成装置が、取付け状態調整可能に取り付けられている形態とすることができる。そして、この場合、各画像形成装置は、観察者の瞳よりも外側に位置している構成とすることが好ましい。更には、このような構成にあっては、一方の画像形成装置の取付部中心とフレームの一端部（一方の智、ヨロイ）との間の距離をα、結合部材の中心からフレームの一端部（一方の智）までの距離をβ、他方の画像形成装置の取付部中心とフレームの一端部（一方の智）との間の距離をγ、フレームの長さをＬとしたとき、０．０１×Ｌ≦α≦０．３０×Ｌ、好ましくは、０．０５×Ｌ≦α≦０．２５×Ｌ、０．３５×Ｌ≦β≦０．６５×Ｌ、好ましくは、０．４５×Ｌ≦β≦０．５５×Ｌ、０．７０×Ｌ≦γ≦０．９９×Ｌ、好ましくは、０．７５×Ｌ≦γ≦０．９５×Ｌを満足することが望ましい。結合部材の各端部への画像形成装置の取付けは、具体的には、例えば、結合部材の各端部の３箇所に貫通孔を設け、貫通孔に対応した螺合部を画像形成装置に設け、各貫通孔にビスを通し、画像形成装置に設けられた螺合部に螺合させる。ビスと螺合部との間にはバネを挿入しておく。こうして、ビスの締め付け状態によって、画像形成装置の取付け状態（結合部材に対する画像形成装置の傾き）を調整することができる。
【００６４】
ここで、画像形成装置の取付部中心とは、画像形成装置が結合部材に取り付けられている状態において、画像形成装置及びフレームを仮想平面に射影したときに得られる画像形成装置の射影像が、フレームの射影像の重なっている部分のフレームの軸線方向に沿った二等分点を指す。また、結合部材の中心とは、結合部材がフレームに取り付けられている状態において、結合部材がフレームに接している部分のフレームの軸線方向に沿った二等分点を指す。フレームの長さとは、フレームが湾曲している場合、フレームの射影像の長さである。尚、射影方向は、観察者の顔に対して垂直な方向とする。
【００６５】
あるいは又、結合部材によって２つの画像表示装置が結合されているが、具体的には、結合部材が、２つの導光板を結合している形態とすることもできる。尚、２つの導光板が一体的に作製されている場合があり、このような場合、係る一体的に作製された導光板に結合部材が取り付けられているが、係る形態も、結合部材が２つの導光板を結合している形態に包含される。一方の画像形成装置の中心とフレームの一端部との間の距離をα’他方の画像形成装置の中心とフレームの一端部との間の距離をγ’としたとき、α’，γ’の値も上述したα，γの値と同様とすることが望ましい。尚、画像形成装置の中心とは、画像形成装置が導光板に取り付けられている状態において、画像形成装置及びフレームを仮想平面に射影したときに得られる画像形成装置の射影像が、フレームの射影像の重なっている部分のフレームの軸線方向に沿った二等分点を指す。
【００６６】
結合部材の形状は、結合部材の射影像がフレームの射影像内に含まれる限りにおいて、本質的に任意であり、例えば、棒状、細長い板状を例示することができる。結合部材を構成する材料も、金属や合金、プラスチック、これらの組合せを挙げることができる。
【００６７】
本開示の表示装置にあっては、画像表示装置において画像を表示するための信号（導光板において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（導光板において虚像を形成するための信号）を受け取ることができる。あるいは又、画像表示装置において画像を表示するための信号（導光板において虚像を形成するための信号）は表示装置に記憶されている形態とすることができる。尚、画像表示装置において表示される画像には、各種情報や各種データが含まれる。あるいは又、表示装置はカメラを備えており、カメラによって撮像された画像を通信手段を介してクラウドコンピュータやサーバーに送出し、クラウドコンピュータやサーバーにおいてカメラによって撮像された画像に該当する各種情報やデータを検索し、検索された各種情報やデータを通信手段を介して表示装置に送出し、検索された各種情報やデータを画像表示装置において画像を表示してもよい。
【００６８】
カメラによって撮像された画像を通信手段を介してクラウドコンピュータやサーバーに送出する際、カメラによって撮像される画像を画像表示装置において表示し、導光板において確認してもよい。具体的には、カメラによって撮像される空間領域の外縁を調光装置において枠状に表示する形態とすることができる。あるいは又、カメラによって撮像される空間領域に対応する調光装置の領域の遮光率を、カメラによって撮像される空間領域の外側に対応する調光装置の領域の遮光率よりも高くする形態とすることができる。このような形態にあっては、観察者には、カメラによって撮像される空間領域は、カメラによって撮像される空間領域の外側よりも暗く見える。あるいは又、カメラによって撮像される空間領域に対応する調光装置の領域の遮光率を、カメラによって撮像される空間領域の外側に対応する調光装置の領域の遮光率よりも低くする形態とすることもできる。このような形態にあっては、観察者には、カメラによって撮像される空間領域は、カメラによって撮像される空間領域の外側よりも明るく見える。そして、これによって、カメラが外部のどこを撮像するかを観察者は、容易に、且つ、確実に認識することができる。
【００６９】
カメラによって撮像される空間領域に対応する調光装置の領域の位置を校正することが好ましい。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、カメラによって撮像された空間領域を表示することができる。そして、携帯電話機やスマートフォン、パーソナルコンピュータにおいて表示された空間領域と、カメラによって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、カメラによって撮像される空間領域に対応する調光装置の領域を移動・回転させ、あるいは、拡大／縮小することで、携帯電話機やスマートフォン、パーソナルコンピュータにおいて表示された空間領域と、カメラによって撮像される空間領域に対応する調光装置の領域との間の差異を無くせばよい。
【００７０】
以上に説明した種々の変形例を含む本開示の表示装置は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、カメラによって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。
【００７１】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、導光板を通して眺めた観察対象物を含む所定の領域の輝度に対応した輝度データとすることができるし、色度データは、導光板を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。導光板を通して眺めた観察対象物を含む所定の領域の輝度に対応した輝度データとする場合、導光板を通して眺めた観察対象物を含む所定の領域の輝度の値が高くなるほど、画像の輝度の値が高くなるように（即ち、画像がより明るく表示されるように）、輝度データの値を設定すればよい。また、導光板を通して眺めた観察対象物を含む所定の領域の色度に対応した色度データとする場合、導光板を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００７２】
以上に説明した各種の好ましい形態、構成を含む本開示の表示装置を、本開示の表示装置の調整方法における表示装置に適用することができる。
【００７３】
本開示の表示装置によって、例えば、頭部装着型ディスプレイ（ＨＭＤ，Head Mounted Display）を構成することができる。そして、これによって、表示装置の軽量化、小型化を図ることができるし、表示装置装着時の不快感を大幅に軽減させることが可能となり、更には、製造コストダウンを図ることも可能となる。あるいは又、本開示の表示装置は、立体視ディスプレイ装置として用いることもできる。この場合、必要に応じて、導光板に偏光板や偏光フィルムを着脱自在に取り付け、あるいは、導光板に偏光板や偏光フィルムを貼り合わせればよい。
【実施例１】
【００７４】
実施例１は、本開示の画像表示装置、本開示の表示装置（具体的には、頭部装着型ディスプレイ，ＨＭＤ）、及び、本開示の表示装置の調整方法に関する。実施例１の画像表示装置の概念図を図１に示し、実施例１の表示装置を上方から眺めた模式図を図４に示し、正面から眺めた模式図を図５に示し、側方から眺めた模式図を図６Ａに示す。また、実施例１の表示装置における反射型体積ホログラム回折格子の一部を拡大して示す模式的な断面図を図６Ｂに示す。更には、実施例１の導光板、支持基板等の模式的な透視斜視図を図７に示す。実施例２の表示装置における画像表示装置において、画像形成装置は第１構成の画像形成装置から構成されている。【００７５】
実施例１あるいは後述する実施例２〜実施例１０の画像表示装置１００，２００，３００，４００は、
画像形成装置１１０，１１０Ａ、
導光板１２１、
導光板１２１と離間して配置された支持基板（支持板）１４１、
導光板１２１に取り付けられた第１偏向手段１３１，１３３、
導光板１２１に取り付けられた第２偏向手段１３２、及び、
第２偏向手段１３２と対向して支持基板１４１に取り付けられた光学部材１４２、
を備えている。そして、
画像形成装置１１０，１１０Ａからの光は、第１偏向手段１３１，１３３において偏向され（あるいは反射され）、導光板１２１の内部を全反射により伝播し、第２偏向手段１３２において偏向され、光学部材１４２に入射し、
光学部材１４２は、入射した光を観察者２０の瞳２１に向けて出射し、
導光板１２１の軸線方向をＸ方向、導光板１２１の高さ方向をＹ方向としたとき、第２偏向手段１３２と光学部材１４２との相対的な位置関係を変更するために、導光板１２１に対して、支持基板１４１を、Ｘ方向、又は、Ｘ方向及びＹ方向に移動させる移動装置１５０を更に備えている。尚、Ｘ方向及びＹ方向に直交する方向をＺ方向とする。第２偏向手段１３２を通過する際の光の相当の部分は、第２偏向手段１３２における回折条件を満たしていないので、第２偏向手段１３２において回折反射されることなく、観察者２０の瞳２１に入射する。【００７６】
そして、支持基板１４１の移動によって、導光板１２１に対して、支持基板１４１を、Ｘ方向、又は、Ｘ方向及びＹ方向に移動させ、以て、光学部材１４２は入射された光を観察者２０の瞳２１に向けて出射する。【００７７】
画像形成装置１１０，１１０Ａは、例えば、単色（例えば、緑色）の画像（虚像）を表示する。導光板１２１、第２偏向手段１３２、光学部材１４２及び支持基板１４１から構成された系は、半透過型（シースルー型）である。【００７８】
実施例１あるいは後述する実施例２〜実施例１０の表示装置は、より具体的には、頭部装着型ディスプレイ（ＨＭＤ）であり、
（Ａ）観察者２０の頭部に装着されるフレーム１０（例えば、眼鏡型のフレーム１０）、並びに、
（Ｂ）フレーム１０に取り付けられた画像表示装置、
を備えている。そして、画像表示装置は、上記の画像表示装置１００，２００，３００，４００を備えている。尚、実施例１あるいは後述する実施例２〜実施例１０の表示装置を、具体的には、２つの画像表示装置を備えた両眼型としたが、１つ備えた片眼型としてもよい。画像表示装置１００，２００，３００，４００は、フレーム１０に、固定して取り付けられていてもよいし、着脱自在に取り付けられていてもよい。表示装置は、観察者２０の瞳２１に、直接、画像を描画する直描タイプの表示装置である。【００７９】
また、実施例１の表示装置の調整方法は、実施例１あるいは後述する実施例２〜実施例１０の表示装置の調整方法であって、
画像形成装置１１０，１１０Ａからの光を、第１偏向手段１３１，１３３において偏向させ、導光板１２１の内部を全反射により伝播させ、第２偏向手段１３２において偏向させ、光学部材１４２に入射させ、移動装置１５０によって、導光板１２１に対して、支持基板１４１を、Ｘ方向、又は、Ｘ方向及びＹ方向に移動させ、以て、光学部材１４２から出射された光を観察者２０の瞳２１に入射させる。【００８０】
導光板１２１は、画像形成装置１１０，１１０Ａからの光が入射する第１面１２２、及び、第１面１２２と対向する第２面１２３を有している。即ち、光学ガラスやプラスチック材料から成る導光板１２１は、導光板１２１の内部全反射による光伝播方向（Ｘ方向）と平行に延びる２つの平行面（第１面１２２及び第２面１２３）を有している。第１面１２２と第２面１２３とは対向している。そして、第１偏向手段１３１は、導光板１２１の第２面１２３上に配置されており（具体的には、貼り合わされており）、第２偏向手段１３２は、導光板１２１の第１面１２２上に配置されている（具体的には、貼り合わされている）。また、支持基板１４１は、導光板１２１の第２面１２３に対向して、導光板１２１と離間して配置されており、光学部材１４２は、導光板１２１と対向する支持基板１４１の第１面１４１Ａに配置されている（具体的には、貼り合わされている）。【００８１】
第１偏向手段（第１回折格子部材）１３１は、ホログラム回折格子、具体的には、反射型体積ホログラム回折格子から成り、第２偏向手段（第２回折格子部材）１３２も、ホログラム回折格子、具体的には、反射型体積ホログラム回折格子から成る。第１偏向手段１３１を構成するホログラム回折格子の内部には第１の干渉縞が形成されており、第２偏向手段１３２を構成するホログラム回折格子の内部には第２の干渉縞が形成されている。また、光学部材１４２は、ホログラムレンズから成り、正の光学的パワーを有する。【００８２】
第１偏向手段１３１は、第２面１２３から導光板１２１に入射された平行光が導光板１２１の内部で全反射されるように、回折反射する。第２偏向手段１３２は、導光板１２１の内部を全反射により伝播した光を回折反射し、光学部材１４２へと導く。光学部材１４２及び第２偏向手段１３２によって導光板１２１における虚像形成領域が構成される。第１偏向手段１３１及び第２偏向手段１３２の軸線はＸ方向と平行であり、法線はＺ方向と平行である。フォトポリマー材料から成る各反射型体積ホログラム回折格子には、１種類の波長帯域（あるいは、波長）に対応する干渉縞が形成されており、従来の方法で作製されている。反射型体積ホログラム回折格子に形成された干渉縞のピッチは一定であり、干渉縞は直線状であり、Ｙ方向に平行である。【００８３】
ここで、実施例１の画像表示装置にあっては、支持基板１４１の移動に拘わらず、導光板１２１の内部を全反射により伝播する光の導光板１２１内における全反射回数は変わらない。また、全反射回数（第１偏向手段１３１によって偏向された光が、第２偏向手段１３２に衝突する前に、導光板１２１の内面と衝突する回数）は、図示した例では３回である。【００８４】
図６Ｂに反射型体積ホログラム回折格子の拡大した模式的な一部断面図を示す。反射型体積ホログラム回折格子には、傾斜角（スラント角）φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【００８５】
ｍ・λ＝２・ｄ・ｓｉｎ（Θ）    （Ａ）
Θ＝９０°−（φ＋ψ）          （Ｂ）【００８６】
実施例１において、画像形成装置１１０は、第１構成の画像形成装置から成り、具体的には、光源１１１、及び、光源１１１から出射された光を走査して画像を形成する走査手段１１２を備えている。より具体的には、画像形成装置１１０は、レーザ光源１１１、及び、ＭＥＭＳミラー１１２から成る。ＭＥＭＳミラー１１２から出射された光はレンズ系１１３を通過して、導光板１２１に入射する。具体的には、レーザ光源１１１は、緑色を発光する発光素子から構成されている。そして、光源１１１から出射された光は、図示しないレンズによって平行光とされ、マイクロミラーを二次元方向に回転自在とし、入射した平行光を２次元的に走査することができるＭＥＭＳミラーから成る走査手段１１２によって水平走査及び垂直走査が行われ、一種の２次元画像化され、仮想の画素（画素数は、例えば、６４０×４８０）が生成される。そして、仮想の画素（画像出射部に該当する走査手段１１２）からの光は、正の光学的パワーを持つレンズ系１１３を通過し、平行光とされた光束が導光板１２１に入射する。尚、画像形成装置１１０の全体は筐体１１４内に納められている。【００８７】
フレーム１０は、観察者２０の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド１０’が取り付けられている。即ち、フレーム１０及びノーズパッド１０’の組立体は、基本的には、通常の眼鏡と略同じ構造を有する。更には、各筐体１１４が、取付け部材１９によってテンプル部１３に取り付けられている。フレーム１０は、金属又はプラスチックから作製されている。尚、各筐体１１４は、取付け部材１９によってテンプル部１３に着脱自在に取り付けられていてもよい。また、眼鏡を所有し、装着している観察者に対しては、観察者の所有する眼鏡のフレーム１０のテンプル部１３に、各筐体１１４を取付け部材１９によって着脱自在に取り付けてもよい。各筐体１１４を、テンプル部１３の外側に取り付けてもよいし、テンプル部１３の内側に取り付けてもよい。あるいは又、フロント部１１に備えられたリムに、導光板１２１を嵌め込んでもよい。【００８８】
更には、一方の画像形成装置１１０，１１０Ａから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１０，１１０Ａはヘッドホン部１６を備えており、各画像形成装置１１０，１１０Ａから延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。【００８９】
配線（信号線や電源線等）１５は、上述したとおり、制御装置（制御回路）１８に接続されており、制御装置１８において画像表示のための処理がなされる。制御装置１８は周知の回路から構成することができる。【００９０】
フロント部１１の中央部分１１’に、必要に応じて、ＣＣＤあるいはＣＭＯＳセンサから成る固体撮像素子とレンズ（これらは図示せず）とから構成されたカメラ１７が、適切な取付部材（図示せず）によって取り付けられている。カメラ１７からの信号は、カメラ１７から延びる配線（図示せず）を介して制御装置（制御回路）１８に送出される。【００９１】
そして、実施例１あるいは後述する実施例２〜実施例１０の画像表示装置１００，２００，３００，４００においては、前述したとおり、移動装置１５０によって、偏向手段１３２と光学部材１４２との相対的な位置関係を変更するために、導光板１２１に対して、支持基板１４１を、Ｘ方向、又は、Ｘ方向及びＹ方向に移動させる。実施例１の導光板１２１、支持基板１４１等の模式的な透視斜視図を図７に示すが、図７の左手に示す図は、支持基板１４１をＸ方向に移動させるための移動装置１５０を示し、図７の右手に示す図は、支持基板１４１をＸ方向及びＹ方向に移動させるための移動装置１５０を示す。移動装置１５０は、ピニオンギア部１５１及びラックギア部１５３から成るラック・アンド・ピニオンから構成されている。支持基板１４１の一端は、例えば、フレーム１０や導光板１２１に取り付けられたガイド部１５４に支持されている。尚、支持基板１４１の一端はガイド部１５４に支持されているが、支持基板１４１は、Ｘ方向及びＹ方向に自在に移動可能である。また、支持基板１４１の他端（テンプル部側）には、ラックギア部１５３が取り付けられている。また、ピニオンギア部１５１は支持部材１５２に取り付けられており、支持部材１５２は、例えば、画像形成装置１１０，１１０Ａの筐体１１４，１１９に取り付けられている。そして、観察者２０が、ピニオンギア部１５１を回動させることで（実際には、ピニオンギア部１５１に取り付けられた摘み１５１Ａ，１５１Ｂを回動させることで）、ピニオンギア部１５１と螺合したラックギア部１５３が移動し、支持基板１４１を、Ｘ方向、又は、Ｘ方向及びＹ方向に移動させることができる。あるいは又、移動装置１５０を、圧電素子、ボイスコイルモータ又は超音波モータから構成し、支持基板１４１と支持部材１５２との間に圧電素子やボイスコイルモータ、超音波モータを配設し、支持部材１５２を、例えば、フレーム１０や画像形成装置１１０，１１０Ａの筐体１１３，１１９に取り付ければよい。あるいは又、支持基板１４１の粗動（粗い移動）をラック・アンド・ピニオンを用いて行い、支持基板１４１の微動（微細な移動）を圧電素子やボイスコイルモータ、超音波モータを用いて行ってもよい。【００９２】
観察者２０が、表示装置を装着したとき、即ち、実施例１の表示装置の使用において、光学部材１４２の光軸Ｌ1（一点鎖線で示す）に対して、眼球２１の光入射領域（具体的には、角膜）の中心を通る導光板１２１の法線Ｌ2（二点鎖線で示す）がテンプル部側にズレているとする。この状態を、図２の画像表示装置の概念図に示す。このような状態にあっては、画像形成装置１１０で形成された画像が観察者２０の瞳２１に入射しなくなる。あるいは、入射状態にズレが生じる。即ち、画像形成装置１１０で形成された画像が観察者２０の網膜に結像しなくなり、あるいは、結像状態に、鼻側に向かってズレが生じる。云い換えれば、画像形成装置１１０において形成された画像は、最悪の場合、観察者２０の瞳２１に届かない。あるいは又、画像形成装置１１０において形成された画像が観察者２０の瞳２１に届いたとしても、ケラレが生じた状態であったり、暗い画像の状態である。【００９３】
ここで、観察者２０が移動装置１５０を操作することで、即ち、観察者２０の指示（観察者２０による調整）に基づき、移動装置１５０によって、導光板１２１に対して、支持基板１４１を、Ｘ方向、又は、Ｘ方向及びＹ方向に移動させ、以て、光学部材１４２から出射された光を観察者２０の瞳２１に入射させる。具体的には、画像形成装置１１０においてテストパターンを表示し、移動装置１５０によって、導光板１２１に対して、支持基板１４１を、Ｘ方向、又は、Ｘ方向及びＹ方向に移動させ、より具体的には、図示した例では、支持基板１４１をテンプル部側に向かって移動させる。尚、移動前の支持基板１４１の端部を図３においては点線で示す。そして、これによって、光学部材１４２から出射され、観察者２０の瞳２１に入射する画像（テストパターン）の光強度の最適化を図る。具体的には、例えば、観察者２０の瞳２１に入射される画像（テストパターン）の光強度の最大化を図る。実施例１の表示装置において、導光板１２１に対して支持基板１４１を移動させた後の状態を図３の概念図に示す。図示した例では、支持基板１４１をＸ方向に移動させた場合、導光板１２１から光学部材１４２に向けて出射される光の導光板１２１の第２面１２３における位置に変化は無いが、導光板１２１に対して支持基板１４１をＸ方向であってテンプル部側に移動させたが故に、画像は、観察者２０の瞳２１において若干鼻側の方向に表示されるものの、観察者２０の瞳２１に対して確実に入射させることができる。尚、図３中、Ｌ0は、支持基板１４１をテンプル部側に移動させる前の光学部材１４２の光軸（即ち、Ｌ1）を表す。ここで、図１に示した例では、画像の中心に相当する光線は、導光板１２１から垂直に射出し、観察者２０の瞳に到達するが、図３に示した例では、画像の中心に相当する光線は、導光板１２１からテンプル部側に若干傾いて射出し、観察者２０の瞳に到達する。【００９４】
実施例１の画像表示装置にあっては、第２偏向手段と光学部材との相対的な位置関係を変更するために、導光板に対して支持基板を移動させる移動装置を更に備えているが故に、観察者が表示装置を装着する（装着している）状態の変化に容易に対処し得る。【００９５】
尚、移動装置１５０は、更に、支持基板１４１をＺ方向に移動させることもできる。具体的には、支持基板１４１がＺ方向に移動できるようにガイド部（図示せず）を設け、例えば、ラック・アンド・ピニオン（図示せず）を用いて、支持基板１４１をＺ方向に移動させればよい。このように支持基板１４１をＺ方向に移動させることで、一層確実に、画像形成装置１１０で形成された画像の収束点を観察者２０の瞳２１に一致させることができるし、ケラレの無い画像を得ることができる。【００９６】
実施例１の画像表示装置の光学系を説明する概念図を図６Ｃに示すように、或る瞬間に光源１１１から出射された光（例えば、１画素分あるいは１副画素分の大きさに相当する）は、上述したとおり、平行光とされ、この平行光は走査手段１１２によって走査され、平行光のまま、レンズ系１１３に入射する。レンズ系１１３から出射した光は、レンズ系１１３の後方焦点（光学部材１４２の前方焦点でもある）において、一旦、結像し、光学部材１４２に入射する。光学部材１４２から出射した光は、平行光となり、観察者２０の瞳２１（具体的には、水晶体）に、平行光のまま、到達する。そして、水晶体を通過した光は、最終的に、観察者２０の瞳２１の網膜において結像する。
【実施例２】
【００９７】
実施例２は、実施例１の変形である。概念図を図８に示すように、実施例２の表示装置における画像表示装置２００において、画像形成装置１１０Ａは第２構成の画像形成装置から構成されている。【００９８】
具体的には、画像形成装置１１０Ａは、有機ＥＬ表示装置から成る空間光変調装置１１５から構成されている。空間光変調装置１１５から出射され画像は、レンズ系を構成する第１の凸レンズ１１６を通過し、更に、レンズ系を構成する第２の凸レンズ１１７を通過し、平行光となって、導光板１２１へと向かう。第１の凸レンズ１１６の後方焦点ｆ1Bに、第２の凸レンズ１１７の前方焦点ｆ2Fが位置する。また、第１の凸レンズ１１６の後方焦点ｆ1B（第２の凸レンズ１１７の前方焦点ｆ2F）の位置に、絞り１１８が配置されている。絞り１１８が画像出射部に該当する。画像形成装置１１０Ａの全体は、筐体１１９内に納められている。空間光変調装置１１５は、２次元マトリクス状に配列された複数（例えば、６４０×４８０個）の画素（有機ＥＬ素子）を備えている。【００９９】
以上の点を除き、実施例２の表示装置の構成、構造は、実施例１の表示装置の構成、構造と同様とすることができるので、詳細な説明は省略する。
【実施例３】
【０１００】
実施例３は、実施例１〜実施例２の変形である。実施例３の表示装置における画像表示装置３００，４００にあっては、第１偏向手段の構成を実施例１〜実施例２とは異なる構成とした。概念図を図９、図１０に示すように、実施例３の表示装置３００，４００において、第１偏向手段１３３は導光板１２１に配されている。具体的には、第１偏向手段１３３は導光板１２１の内部に配設されている。そして、第１偏向手段１３３は、導光板１２１に入射された光を反射する。即ち、第１偏向手段１３３は反射鏡として機能する。より具体的には、導光板１２１の内部に設けられた第１偏向手段１３３は、アルミニウム（Ａｌ）から成り、導光板１２１に入射された光を反射させる光反射膜（一種のミラー）から構成されている。第１偏向手段１３３においては、導光板１２１に入射された平行光が導光板１２１の内部で全反射されるように、導光板１２１に入射された平行光が反射される。【０１０１】
第１偏向手段１３３は、導光板１２１の第１偏向手段１３３を設ける部分を切り出すことで、導光板１２１に第１偏向手段１３３を形成すべき斜面を設け、係る斜面に光反射膜を真空蒸着した後、導光板１２１の切り出した部分を第１偏向手段１３３に接着すればよい。【０１０２】
以上の点を除き、実施例３の表示装置の構成、構造は、実施例１〜実施例２の表示装置の構成、構造と同様とすることができるので、詳細な説明は省略する。
【実施例４】
【０１０３】
実施例４は、実施例１〜実施例３の変形である。実施例１において、図３に示したように、導光板１２１に対して支持基板１４１を移動させると、画像は、観察者２０の瞳２１において若干鼻側の方向に表示される。このような場合、画像移動手段は、画像形成装置１１０を、導光板１２１に対して相対的に、Ｘ方向に移動させ、あるいは又、Ｘ方向及びＹ方向に移動させ、あるいは又、ＸＹ平面内を移動させればよい。画像移動手段は、例えば、支持台、及び、支持台と筐体との間に配設された移動のための装置（例えば、ラック・アンド・ピニオンや圧電素子、ボイスコイルモータ、超音波モータ）から構成される。【０１０４】
具体的には、筐体１１４内に配置された光源１１１、走査手段１１２、レンズ系１１３の全体を支持台（図示せず）に載置し、支持台と筐体１１４との間に移動のための装置を配設し、制御装置１８の制御下、移動装置１５０における支持基板１４１の移動量と、移動のための装置における支持台の移動量とを相関付けることで、支持台を移動させればよい。具体的には、図３及び図１１に図示した例では、支持台をテンプル部側に移動させればよい。移動前の支持台の基準位置をＬ3、移動後の支持台の基準位置をＬ4としたとき、図１１に示す移動後にあっては、基準位置Ｌ3と基準位置Ｌ4とのズレ量は、図２に示したＬ1とＬ2とのズレ量と一致している。ここで、図３に示した例では、画像の中心に相当する光線は、導光板１２１からテンプル部側に若干傾いて射出し、観察者２０の瞳に到達するが、図１１に示した例では、画像の中心に相当する光線は、導光板１２１から垂直に射出し、観察者２０の瞳に到達する。【０１０５】
また、右眼用の表示装置と左眼用の表示装置における移動前の支持台の基準位置Ｌ3と移動後の支持台の基準位置Ｌ4とを調整することで、即ち、瞳に対する相対的な表示方向を調整するために、第１偏向手段１３１への入射位置と第２偏向手段１３２からの出射位置とを同時に移動させることで、輻輳角の調整を行うことができる。尚、輻輳角の調整に限定せず、瞳に対する表示方向を任意に調整するためにＬ3とＬ4とのズレ量の調整を行うこともできる。即ち、図２におけるＬ1とＬ2とのズレ量と、図３におけるＬ3とＬ4とのズレ量とを一致させれば、観察者２０の瞳２１の位置に対応して収束点を移動した場合でも表示方向の変化はないのに対して、図２におけるＬ1とＬ2とのズレ量と、図３におけるＬ3とＬ4とのズレ量との間に差を付けることで、表示方向の調整（輻輳角の調整）を行うことができる。【０１０６】
あるいは又、画像移動手段は、画像形成装置１１０から出射される光の出射位置を変えてもよい。この場合、画像移動手段は制御装置１８に包含される。具体的には、例えば、ＭＥＭＳミラーから成る走査手段１１２によって水平走査及び垂直走査が行われ、一種の２次元画像化されるが、ＭＥＭＳミラーの振り角度範囲を制御装置（画像移動手段）１８によって制御することで、水平走査及び垂直走査の状態を変え、画像形成装置１１０から出射される光の出射位置を変えることができる。あるいは又、ＭＥＭＳミラーの振り角度は変えずに、画像形成装置１１０からの光ビームの発信のタイミングを制御装置（画像移動手段）１８によって制御することで、画像表示位置を制御し、これによって、画像形成装置１１０から出射される光の出射位置を変えることもできる。
【実施例５】
【０１０７】
実施例５は、実施例１〜実施例４の変形である。実施例５の表示装置にあっては、概念図を図１２に示すように、観察者２０の瞳２１の像の位置に基づき、移動装置１５０は支持基板１４１を移動させる。あるいは又、観察者２０の瞳２１の像の位置に基づき、移動装置１５０によって支持基板１４１を移動させる。具体的には、支持基板１４１に隣接して、観察者２０の瞳２１の像を撮像する撮像装置１６０を更に備えている。このように観察者２０の瞳２１の位置を検出することで、画像形成装置１１０で形成された画像を観察者２０の瞳２１に一層確実に入射させることができる。撮像装置１６０は、具体的には、例えば、ＣＣＤあるいはＣＭＯＳセンサから成る固体撮像素子とレンズから構成すればよく、例えば、支持基板１４１に取り付けられている。撮像装置１６０の出力、即ち、撮像装置１６０によって撮像された観察者２０の瞳２１の像に関する出力は、制御装置（制御回路）１８に送出される。そして、制御装置１８において画像処理が行われ、瞳２１の位置の変化量が決定される。具体的には、制御装置１８に瞳位置（瞳の中心位置）が記憶されており、この記憶された瞳位置と、撮像装置１６０によって検出された観察者２０の瞳位置（瞳の中心位置）とを比較し、瞳位置（瞳の中心位置）の変化量が所定の値を超えている場合、この瞳２１の位置の変化量に基づき、制御装置１８の制御下、移動装置１５０は支持基板１４１を移動させる。このように観察者２０の瞳２１の位置を検出することで、画像形成装置１１０，１１０Ａで形成された画像を観察者２０の瞳２１に一層確実に入射させることができる。即ち、画像形成装置１１０，１１０Ａで形成された画像を観察者２０の網膜に確実に結像させることができる。また、この瞳２１の位置の変化量に基づき、実施例４において説明したように、画像移動手段によって、画像形成装置１１０を、導光板１２１に対して相対的に、Ｘ方向に移動させ、あるいは又、Ｘ方向及びＹ方向に移動させ、あるいは又、ＸＹ平面内を移動させればよい。尚、新たな瞳位置（瞳の中心位置）を制御装置１８に記憶すればよい。【０１０８】
移動装置１５０を構成するラック・アンド・ピニオンにおけるピニオンギア部１５１にモータ（図示せず）を取り付け、モータの作動を制御装置（制御回路）１８によって制御することで、移動装置１５０は支持基板１４１を移動させることができる。あるいは又、移動装置１５０を構成する圧電素子、ボイスコイルモータ又は超音波モータに、制御装置（制御回路）１８から制御信号を送ることで、移動装置１５０は支持基板１４１を移動させることができる。あるいは又、支持基板１４１の粗動（粗い移動）をラック・アンド・ピニオンを用いて行い、支持基板１４１の微動（微細な移動）を圧電素子やボイスコイルモータ、超音波モータを用いて行ってもよい。【０１０９】
以上の点を除き、実施例５の表示装置の構成、構造は、実施例１〜実施例４の表示装置の構成、構造と同様とすることができるので、詳細な説明は省略する。
【実施例６】
【０１１０】
実施例６は、実施例１〜実施例２、実施例４〜実施例５の変形であり、第１偏向手段１３１、第２偏向手段１３２、光学部材１４２の配置状態の変形を示す。但し、第１偏向手段１３１、第２偏向手段１３２、光学部材１４２の配置状態は、これらの例に限定するものではない。【０１１１】
実施例１〜実施例５にあっては、
第１偏向手段１３１を、導光板１２１の第２面１２３上に配置し、
第２偏向手段１３２を、導光板１２１の第２面１２３上に配置し、
支持基板１４１を、導光板１２１の第２面１２３に対向して配置し、
光学部材１４２を、支持基板１４１の第１面１４１Ａに配置した。【０１１２】
一方、図１３Ａに示すように、
第１偏向手段１３１を、導光板１２１の第２面１２３上に配置し、
第２偏向手段１３２を、導光板１２１の第１面１２２上に配置し、
支持基板１４１を、導光板１２１の第２面１２３に対向して配置し、
光学部材１４２を、支持基板１４１の第１面１４１Ａに配置してもよい。【０１１３】
あるいは又、図１３Ｂに示すように、
第１偏向手段１３１を、導光板１２１の第１面１２２上に配置し、
第２偏向手段１３２を、導光板１２１の第２面１２３上に配置し、
支持基板１４１を、導光板１２１の第２面１２３に対向して配置し、
光学部材１４２を、支持基板１４１の第１面１４１Ａに配置してもよい。【０１１４】
あるいは又、図１３Ｃに示すように、
第１偏向手段１３１を、導光板１２１の第１面１２２上に配置し、
第２偏向手段１３２を、導光板１２１の第１面１２２上に配置し、
支持基板１４１を、導光板１２１の第２面１２３に対向して配置し、
光学部材１４２を、支持基板１４１の第１面１４１Ａに配置してもよい。【０１１５】
あるいは又、図１３Ｄに示すように、
第１偏向手段１３１を、導光板１２１の第１面１２２上に配置し、
第２偏向手段１３２を、導光板１２１の第１面１２２上に配置し、
支持基板１４１を、導光板１２１の第２面１２３に対向して配置し、
光学部材１４２を、支持基板１４１の第２面１４１Ｂに配置してもよい。光学部材１４２を支持基板１４１の第２面１４１Ｂに配置することによって、導光板１２１と支持基板１４１との間の距離を短くでき、全体の厚さを薄くすることができる。【０１１６】
あるいは又、図１４Ａに示すように、
第１偏向手段１３１を、導光板１２１の第２面１２３上に配置し、
第２偏向手段１３２を、導光板１２１の第２面１２３上に配置し、
支持基板１４１を、導光板１２１の第１面１２２に対向して配置し、
光学部材１４２を、支持基板１４１の第１面１４１Ａに配置してもよい。支持基板１４１を、導光板１２１の第１面１２２に対向して配置することによって、第２偏向手段１３２から光学部材１４２に向かう光が外部へ漏れ出すことを抑制することができる。【０１１７】
あるいは又、図１４Ｂに示すように、
第１偏向手段１３１を、導光板１２１の第２面１２３上に配置し、
第２偏向手段１３２を、導光板１２１の第１面１２２上に配置し、
支持基板１４１を、導光板１２１の第１面１２２に対向して配置し、
光学部材１４２を、支持基板１４１の第１面１４１Ａに配置してもよい。【０１１８】
あるいは又、図１４Ｃに示すように、
第１偏向手段１３１を、導光板１２１の第１面１２２上に配置し、
第２偏向手段１３２を、導光板１２１の第２面１２３上に配置し、
支持基板１４１を、導光板１２１の第１面１２２に対向して配置し、
光学部材１４２を、支持基板１４１の第１面１４１Ａに配置してもよい。【０１１９】
あるいは又、図１４Ｄに示すように、
第１偏向手段１３１を、導光板１２１の第１面１２２上に配置し、
第２偏向手段１３２を、導光板１２１の第１面１２２上に配置し、
支持基板１４１を、導光板１２１の第１面１２２に対向して配置し、
光学部材１４２を、支持基板１４１の第１面１４１Ａに配置してもよい。【０１２０】
あるいは又、図１４Ｅに示すように、
第１偏向手段１３１を、導光板１２１の第２面１２３上に配置し、
第２偏向手段１３２を、導光板１２１の第２面１２３上に配置し、
支持基板１４１を、導光板１２１の第１面１２２に対向して配置し、
光学部材１４２を、支持基板１４１の第２面１４１Ｂに配置してもよい。光学部材１４２を支持基板１４１の第２面１４１Ｂに配置することによって、導光板１２１と支持基板１４１との間の距離を短くでき、全体の厚さを薄くすることができる。
【実施例７】
【０１２１】
実施例７は、実施例１〜実施例６の変形である。画像表示装置の概念図を図１５に示し、表示装置を上方から眺めた模式図を図１６に示し、側方から眺めた模式図を図１７に示すように、実施例７の表示装置にあっては、第１偏向手段１３１，１３３を覆うように、導光板１２１の第２面１２３の外側に遮光部材５０１が配置されており、あるいは又、設けられている。ここで、導光板１２１への第１偏向手段１３１，１３３の正射影像は、導光板１２１への遮光部材５０１の正射影像に含まれる。尚、以下の実施例においては、導光板１２１、第１偏向手段１３１、画像形成装置１１０に基づき説明を行う。【０１２２】
具体的には、例えば、画像形成装置１１０から出射された光が入射される導光板１２１の領域、より具体的には、第１偏向手段１３１が設けられた領域に、導光板１２１への外光の入射を遮光する遮光部材５０１が配されている。ここで、遮光部材５０１の導光板１２１への正射影像内に、画像形成装置１１０から出射された光が入射される導光板１２１の領域が含まれる。遮光部材５０１は、導光板１２１の画像形成装置１１０が配された側とは反対側に、導光板１２１と離間して配されている。遮光部材５０１は、例えば、不透明なプラスチック材料から作製されており、遮光部材５０１は、画像形成装置１１０の筐体１１４から一体に延び、あるいは又、画像形成装置１１０の筐体１１４に取り付けられ、あるいは又、フレーム１０から一体に延び、あるいは又、フレーム１０に取り付けられ、あるいは又、導光板１２１に取り付けられている。尚、図示した例では、遮光部材５０１は、画像形成装置１１０の筐体１１４から一体に延びている。このように、画像形成装置１１０から出射された光が入射される導光板１２１の領域には、導光板１２１への外光の入射を遮光する遮光部材５０１が配されているので、画像形成装置１１０から出射された光が入射される導光板１２１の領域、具体的には、第１偏向手段１３１には外光が入射しないので、不所望の迷光等が発生し、表示装置における画像表示品質の低下を招くことが無い。【０１２３】
あるいは又、図１８に示すように、遮光部材６０１は、支持基板１４１の一部に配されている。具体的には、不透明なインクを支持基板１４１に印刷することで、遮光部材６０１を形成することができる。尚、遮光部材５０１との遮光部材６０１とを組み合わせることもできる。
【実施例８】
【０１２４】
実施例８は、実施例１〜実施例７の変形である。実施例８の画像表示装置の概念図を図１９に示し、実施例８の表示装置を上方から眺めた模式図を図２０に示し、側方から眺めた模式図を図２１Ａに示す。また、導光板及び調光装置の模式的な正面図を図２１Ｂに示し、調光装置の模式的な断面図を図２２Ａに示し、調光装置の模式的な平面図を図２２Ｂに示す。【０１２５】
実施例８にあっては、導光板１２１の第２面側と支持基板１４１との間に、外部から入射する外光の光量を調整する一種の光シャッタである調光装置７００が配されている。そして、導光板１２１の虚像形成領域は調光装置７００と重なっており、画像形成装置１１０から出射される光に基づき虚像形成領域の一部分において虚像が形成されるとき、調光装置７００への虚像の投影像が含まれる調光装置７００の虚像投影領域７１１の遮光率が、調光装置７００の他の領域７１２の遮光率よりも高くなるように、調光装置７００が制御される。尚、調光装置７００において虚像投影領域７１１の位置は固定されたものでなく、虚像の形成位置に依存して変化し、また、虚像投影領域７１１の数も、虚像の数（あるいは一連の虚像群の数、ブロック化された虚像群の数等）に依存して変化する。調光装置７００の大きさは、導光板１２１と同じであってもよいし、大きくてもよいし、小さくてもよい。要は、調光装置７００の正射影像内に虚像形成領域（第２偏向手段１３２）が位置すればよい。観察者側から、導光板１２１、調光装置７００、光学部材１４２の順に配されているが、このような配置に限定するものではない。調光装置７００にコネクタ（図示せず）を取り付け、調光装置７００の遮光率を制御するための制御回路（具体的には、制御装置１８）にこのコネクタ及び配線を介して調光装置７００を電気的に接続する。【０１２６】
調光装置７００の動作時、調光装置７００の他の領域７１２の遮光率は、調光装置７００への虚像の投影像が含まれる調光装置７００の虚像投影領域の遮光率を「１」としたとき、例えば、０．９５以下である。あるいは又、調光装置７００の他の領域の遮光率は、例えば、３０％以下である。一方、調光装置７００の動作時、調光装置７００の虚像投影領域７１１の遮光率は、３５％乃至９９％、例えば、８０％とされる。このように、虚像投影領域７１１の遮光率は、一定であってもよいし、後述するように、表示装置の置かれた環境の照度に依存して変化させてもよい。【０１２７】
実施例８あるいは後述する実施例９〜実施例１０において、調光装置７００は、模式的な断面図を図２２Ａに示し、模式的な平面図を図２２Ｂに示すように、
第１基板７０１、
第１基板７０１と対向する第２基板７０３、
第２基板７０３と対向する第１基板７０１の対向面に設けられた第１透明電極７０２、
第１基板７０１と対向する第２基板７０３の対向面に設けられた第２透明電極７０４、及び、
第１透明電極７０２と第２透明電極７０４とによって挟まれた調光層７０５、
から成る。そして、
第１透明電極７０２は、第１の方向に延びる複数の帯状の第１透明電極セグメント７０２Ａから構成されており、
第２透明電極７０４は、第１の方向とは異なる第２の方向に延びる複数の帯状の第２透明電極セグメント７０４Ａから構成されており、
第１透明電極セグメント７０２Ａと第２透明電極セグメント７０４Ａの重複領域（調光装置の遮光率が変化する最小単位領域７０８）に対応する調光装置の部分の遮光率の制御は、第１透明電極セグメント７０２Ａ及び第２透明電極セグメント７０４Ａに印加する電圧の制御に基づき行われる。即ち、遮光率の制御を単純マトリクス方式に基づき行われる。第１の方向と第２の方向とは直交しており、具体的には、第１の方向は横方向（Ｘ方向）に延び、第２の方向は縦方向（Ｙ方向）に延びる。【０１２８】
導光板１２１の第２面側は、隙間を開けた状態で、透明保護部材１２５によって被覆されている。導光板１２１の外縁部と透明保護部材１２５の外縁部とは、封止部材１２４によって封止され、あるいは、接着されている。透明保護部材１２５は、調光装置７００の第１基板７０１を兼ねており、これによって、表示装置全体の重量の減少を図ることができ、表示装置の使用者（観察者）に不快感を感じさせる虞が無い。また、第２基板７０３を透明保護部材１２５よりも薄くすることができる。実施例９〜実施例１０においても同様とすることができる。但し、これに限定するものではなく、透明保護部材１２５と調光装置７００の第１基板７０１とを、別の部材から構成することもできる。【０１２９】
第２基板７０３はプラスチック材料から成る。また、第１透明電極７０２及び第２透明電極７０４は、インジウム−スズ複合酸化物（ＩＴＯ）から構成された透明電極から成り、スパッタリング法といったＰＶＤ法とリフトオフ法との組合せに基づき形成されている。第２透明電極７０４と第２基板７０３の間には、ＳｉＮ層、ＳｉＯ2層、Ａｌ2Ｏ3層、ＴｉＯ2層あるいはこれらの積層膜から成る保護層７０６が形成されている。保護層７０６を形成することで、イオンの行き来を阻止するイオン遮断性、防水性、防湿性及び耐傷性を調光装置７００に付与することができる。また、透明保護部材（第１基板７０１）と第２基板７０３とは、外縁部において、紫外線硬化型エポキシ系樹脂や、紫外線と熱とによって硬化するエポキシ系樹脂といった紫外線硬化型樹脂、熱硬化型樹脂から成る封止材７０７によって封止されている。第１透明電極７０２及び第２透明電極７０４は、図示しないコネクタ、配線を介して制御装置１８に接続されている。【０１３０】
調光装置７００の遮光率（光透過率）は、第１透明電極７０２及び第２透明電極７０４に印加する電圧によって制御することができる。具体的には、例えば、第１透明電極７０２を接地した状態で、第２透明電極７０４に電圧を印加すると、調光層７０５の遮光率が変化する。第１透明電極７０２と第２透明電極７０４との間の電位差を制御してもよいし、第１透明電極７０２に印加する電圧と第２透明電極７０４に印加する電圧とを独立に制御してもよい。【０１３１】
尚、調光装置７００における虚像形成領域（第２偏向手段１３２）の横方向の画素数をＭ0、縦方向の画素数をＮ0としたとき、調光装置７００の遮光率が変化する最小単位領域７０８の数Ｍ1×Ｎ1は、Ｍ1／Ｍ0＝ｋ，Ｎ1／Ｎ0＝ｋ’としたとき、例えば、Ｍ0＝Ｍ1（即ち、ｋ＝１），Ｎ0＝Ｎ1（即ち、ｋ’＝１）である。但し、これに限定するものではなく、１．１≦ｋ、好ましくは１．１≦ｋ≦１．５、より好ましくは１．１５≦ｋ≦１．３、１．１≦ｋ’、好ましくは１．１≦ｋ’≦１．５、より好ましくは１．１５≦ｋ’≦１．３を満足する形態とすることができる。ｋの値とｋ’の値とは、同じであってもよいし、異なっていてもよく、実施例においては、ｋ＝ｋ’＝１とした。【０１３２】
実施例８あるいは後述する実施例９〜実施例１０において、調光装置７００は、エレクトロクロミック材料の酸化還元反応によって発生する物質の色変化を応用した光シャッタから成る。具体的には、調光層はエレクトロクロミック材料を含む。より具体的には、調光層は、第２透明電極側から、ＷＯ3層７０５Ａ／Ｔａ2Ｏ5層７０５Ｂ／ＩｒXＳｎ1-XＯ層７０５Ｃの積層構造を有する。ＷＯ3層７０５Ａは還元発色（還元着色）する。また、Ｔａ2Ｏ5層７０５Ｂは固体電解質を構成し、ＩｒXＳｎ1-XＯ層７０５Ｃは酸化発色（酸化着色）する。【０１３３】
ＩｒXＳｎ1-XＯ層中では、ＩｒとＨ2Ｏとが反応して、水酸化イリジウムＩｒ（ＯＨ）nとして存在する。第２透明電極７０４に負の電位を、第１透明電極７０２に正の電位を加えると、ＩｒXＳｎ1-XＯ層からＴａ2Ｏ5層へのプロトンＨ+の移動、第１透明電極７０２への電子放出が生じ、次の酸化反応が進んで、ＩｒXＳｎ1-XＯ層は着色する。
Ｉｒ（ＯＨ）n  →  ＩｒＯX（ＯＨ）n-X（着色）  ＋  Ｘ・Ｈ+  ＋  Ｘ・ｅ-【０１３４】
一方、Ｔａ2Ｏ5層中のプロトンＨ+がＷＯ3層中へ移動し、第２透明電極７０４から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）【０１３５】
これとは逆に、第２透明電極７０４に正の電位を、第１透明電極７０２に負の電位を加えると、ＩｒXＳｎ1-XＯ層では、上記と逆向きに還元反応が進み、消色し、ＷＯ3層では、上記と逆向きに酸化反応が進み、消色する。尚、Ｔａ2Ｏ5層にはＨ2Ｏが含まれており、第１透明電極、第２透明電極に電圧を印加することで電離し、プロトンＨ+、ＯＨ-イオンの状態が含まれ、着色反応及び消色反応に寄与している。【０１３６】
画像表示装置１００，２００，３００，４００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００において画像を表示するための信号を受け取ることができるし、受信装置は信号を受け取ることができる。【０１３７】
具体的には、観察者が、携帯電話機やスマートフォンに、入手すべき「情報」を要求する旨の入力を行うと、携帯電話機やスマートフォンは、クラウドコンピュータやサーバーにアクセスし、「情報」をクラウドコンピュータやサーバーから入手する。こうして、制御装置１８は、画像表示装置１００，２００，３００，４００において画像を表示するための信号を受け取る。制御装置１８にあっては、この信号に基づいて周知の画像処理を行い、画像形成装置１１０に「情報」を画像として表示する。この「情報」を画像は、導光板１２１において、画像形成装置１１０から出射される光に基づき、制御装置１８によって制御された所定の位置に虚像として表示される。即ち、虚像形成領域（第２偏向手段１３２）の一部分において虚像が形成される。【０１３８】
そして、調光装置７００が設けられている場合、調光装置７００への虚像の投影像が含まれる調光装置７００の虚像投影領域７１１の遮光率が、調光装置７００の他の領域７１２の遮光率よりも高くなるように、調光装置７００が制御される。具体的には、制御装置１８によって、第１透明電極７０２及び第２透明電極７０４に印加される電圧を制御する。ここで、画像形成装置１１０において画像を表示するための信号に基づき、調光装置７００の虚像投影領域７１１の大きさ及び位置が決定される。【０１３９】
場合によっては、画像表示装置１００，２００，３００，４００において画像を表示するための信号が、表示装置（具体的には、制御装置１８）に記憶されていてもよい。【０１４０】
あるいは又、表示装置に備えられたカメラ１７によって撮像された画像を通信手段を介してクラウドコンピュータやサーバーに送出し、クラウドコンピュータやサーバーにおいてカメラ１７によって撮像された画像に該当する各種情報やデータを検索し、検索された各種情報やデータを通信手段を介して表示装置に送出し、検索された各種情報やデータを画像表示装置１００，２００，３００，４００において画像を表示してもよい。また、このような形態と「情報」の入力を併用すれば、例えば、観察者のいる場所等や観察者がどの方向を向いているか等の情報を加重することができるので、一層高い精度で、「情報」を画像形成装置１１０において表示することができる。【０１４１】
画像形成装置１１０から出射された光に基づき導光板１２１に虚像が形成される前に、調光装置７００の虚像投影領域７１１の遮光率が増加される形態を採用してもよい。調光装置７００の虚像投影領域７１１の遮光率が増加されてから虚像が形成されるまでの時間として、０．５秒乃至３０秒を例示することができるが、この値に限定するものではない。このように、予め、虚像が導光板のどの位置に、いつ、形成されるかを観察者は知ることができるので、観察者の虚像視認性の向上を図ることができる。調光装置７００の虚像投影領域７１１の遮光率は、時間の経過に従い、順次、増加する形態とすることができる。即ち、所謂フェードイン状態とすることができる。【０１４２】
虚像が形成されていない場合、調光装置７００全体の遮光率を、調光装置７００の他の領域の遮光率と同じ値とすればよい。虚像の形成が終了し、虚像が消滅したとき、調光装置７００への虚像の投影像が含まれていた調光装置７００の虚像投影領域７１１の遮光率を、直ちに、調光装置７００の他の領域の遮光率と同じ値としてもよいが、経時的に（例えば、３秒間で）調光装置７００の他の領域の遮光率と同じ値となるように制御してもよい。即ち、所謂フェードアウト状態とすることができる。【０１４３】
画像形成装置１１０から出射された光に基づき導光板１２１に一の虚像が形成され、次いで、一の虚像と異なる次の虚像が形成される場合を想定する。この場合、一の虚像に対応する調光装置７００の虚像投影領域７１１の面積をＳ1、次の虚像に対応する調光装置７００の虚像投影領域７１１の面積をＳ2としたとき、
Ｓ2／Ｓ1＜０．８、又は、１＜Ｓ2／Ｓ1の場合、次の虚像が形成される調光装置７００の虚像投影領域７１１は、調光装置７００への次の虚像の投影像が含まれる調光装置７００の領域であり（図２３Ａ、図２３Ｂ及び図２３Ｃ参照）、
０．８≦Ｓ2／Ｓ1≦１の場合、次の虚像が形成される調光装置７００の虚像投影領域７１１は、調光装置７００への一の虚像の投影像が含まれた調光装置７００の領域である形態とすることができる。即ち、一の虚像の形成から次の虚像の形成において、虚像投影領域の面積が０％減乃至２０％減の場合には、一の虚像に対応した虚像投影領域を保持する形態とすることができる（即ち、図２３Ａに示した状態のままとする）。【０１４４】
また、図２４に示すように、導光板１２１に形成される虚像に外接する仮想矩形１３２Ａを想定したとき、調光装置７００の虚像投影領域７１１は、仮想矩形１３２Ａよりも大きい構成とすることができる。そして、この場合、導光板１２１に形成される虚像に外接する仮想矩形１３２Ａの横方向及び縦方向の長さをＬ1-T及びＬ1-Lとし、調光装置７００の虚像投影領域７１１の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。尚、図２４においては、虚像として、「ＡＢＣＤ」が形成されている状態を示す。【０１４５】
調光装置７００は、常時、動作状態にあってもよいし、観察者の指示（操作）によって動作／不動作（オン／オフ）状態が規定されてもよいし、通常は不動作状態にあり、画像表示装置１００，２００，３００，４００において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置７００の動作の制御を行えばよい。具体的には、観察者の肉声に基づく指示によって、調光装置７００の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置７００の動作の制御を行えばよい。具体的には、赤外線入出射装置によって、観察者の瞬きを検出することで、調光装置７００の動作／不動作の切替えを制御すればよい。【０１４６】
以上のとおり、実施例８の表示装置にあっては、画像形成装置から出射される光に基づき虚像形成領域の一部分において虚像が形成されるとき、調光装置への虚像の投影像が含まれる調光装置の虚像投影領域の遮光率が調光装置の他の領域の遮光率よりも高くなるように調光装置が制御されるので、観察者が観察する虚像に高いコントラストを与えることができ、しかも、高遮光率の領域が調光装置全体ではなく、調光装置への虚像の投影像が含まれる調光装置の虚像投影領域といった狭い領域のみが高遮光率の領域となるので、表示装置を使用する観察者は外部環境を、確実に、且つ、安全に認識することができる。【０１４７】
フレームは、観察者の正面に配置されるフロント部、フロント部の両端に蝶番を介して回動自在に取り付けられた２つのテンプル部、及び、ノーズパッドを備えており；調光装置７００はフロント部に配設されている形態とすることができる。また、導光板１２１は調光装置７００に取り付けられている形態とすることができる。尚、導光板１２１は、隙間を開けた状態で調光装置７００に取り付けられていればよい。更には、これらの場合、前述したとおり、フロント部はリムを有し；調光装置７００がリムに嵌め込まれている形態とすることができるし、あるいは又、導光板１２１（第１基板７０１）及び第２基板７０３の少なくとも一方がリムに嵌め込まれている形態とすることができるし、調光装置７００及び導光板１２１がリムに嵌め込まれている形態とすることができるし、導光板１２１がリムに嵌め込まれている形態とすることができる。【０１４８】
調光層７０５を、液晶表示装置から成る光シャッタから構成することもできる。この場合、具体的には、調光層７０５を、例えば、ＴＮ（ツイステッド・ネマチック）型液晶材料やＳＴＮ（スーパー・ツイステッド・ネマチック）型液晶材料から成る液晶材料層から構成することができる。第１透明電極７０２及び第２透明電極７０４はパターニングされており、調光装置７００の一部の領域７１２の遮光率（光透過率）を、他の領域の遮光率とは異なった状態に変化させることができる。あるいは又、第１透明電極７０２及び第２透明電極７０４のいずれか一方をパターニングされていない所謂ベタ電極とし、他方をパターニングし、他方をＴＦＴに接続する。そして、調光装置７００の遮光率が変化する最小単位領域７０８の遮光率の制御をＴＦＴによって行う。即ち、遮光率の制御をアクティブマトリクス方式に基づき行ってもよい。アクティブマトリクス方式に基づく遮光率の制御は、実施例８あるいは後述する実施例９〜実施例１０において説明する調光装置７００に適用することができることは云うまでもない。【０１４９】
また、エレクトロウェッティング現象によって遮光率（光透過率）を制御する光シャッタを用いることもできる。具体的には、第１透明電極及び第２透明電極を設け、第１透明電極と第２透明電極との間は、絶縁性の第１の液体、及び、導電性の第２の液体で満たされている構造とする。そして、第１透明電極と第２透明電極との間に電圧を印加することで、第１の液体と第２の液体によって形成される界面の形状が、例えば、平面状から湾曲した状態に変化することで、遮光率（光透過率）を制御することができる。あるいは又、金属（例えば、銀粒子）の可逆的な酸化還元反応によって発生する電着・解離現象に基づく電着方式（エレクトロデポジション・電界析出）を応用した光シャッタを用いることもできる。具体的には、有機溶剤中にＡｇ+及びＩ-を溶解しておき、電極に適切な電圧を印加することで、Ａｇ+を還元してＡｇを析出させることで、調光装置の遮光率（光透過率）を低くし、一方、Ａｇを酸化してＡｇ+として溶解させることで、調光装置の遮光率（光透過率）を高くする。【０１５０】
場合によっては、調光装置を通過する光を、調光装置によって所望の色に着色する構成とすることができ、この場合、調光装置によって着色される色を可変とすることができる。具体的には、例えば、赤色に着色される調光装置と、緑色に着色される調光装置と、青色に着色される調光装置とを積層すればよい。【０１５１】
導光板の光が出射される領域に、調光装置が着脱自在に配設されていてもよい。このように、調光装置を着脱自在に配設するためには、例えば、透明なプラスチックから作製されたビスを用いて調光装置を導光板に取り付け、調光装置の光透過率を制御するための制御回路（例えば、画像形成装置を制御するための制御装置１８に含まれている）にコネクタ及び配線を介して接続すればよい。
【実施例９】
【０１５２】
実施例９は、実施例８の変形である。実施例９の表示装置を上方から眺めた模式図を図２５Ａに示す。また、環境照度測定センサを制御する回路の模式図を図２５Ｂに示す。【０１５３】
実施例９の表示装置は、表示装置の置かれた環境の照度を測定する環境照度測定センサ７２１を更に備えており、環境照度測定センサ７２１の測定結果に基づき、調光装置７００の遮光率を制御する。併せて、あるいは、独立して、環境照度測定センサ７２１の測定結果に基づき、画像形成装置１１０によって形成される画像の輝度を制御する。周知の構成、構造を有する環境照度測定センサ７２１は、例えば、導光板１２１の外側端部や、調光装置７００の外側端部、筐体１１４，１１９、フレーム１０等に配置すればよい。環境照度測定センサ７２１は、図示しないコネクタ及び配線を介して制御装置１８に接続されている。制御装置１８には、環境照度測定センサ７２１を制御する回路が含まれる。この環境照度測定センサ７２１を制御する回路は、環境照度測定センサ７２１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０を制御する環境照度測定センサ制御回路から構成されているが、これらの回路は周知の回路から構成することができる。調光装置７００の制御にあっては、調光装置７００の遮光率の制御を行い、一方、画像形成装置１１０の制御にあっては、画像形成装置１１０によって形成される画像の輝度の制御を行う。尚、調光装置７００における遮光率の制御と画像形成装置１１０における画像の輝度の制御は、それぞれ、独立して行ってもよいし、相関を付けて行ってもよい。【０１５４】
例えば、環境照度測定センサ７２１の測定結果が所定値（第１の照度測定値）以上になったとき、調光装置７００の遮光率を所定の値（第１の遮光率）以上とする。一方、環境照度測定センサ７２１の測定結果が所定値（第２の照度測定値）以下になったとき、調光装置７００の遮光率を所定の値（第２の遮光率）以下とする。ここで、第１の照度測定値として１０ルクスを挙げることができるし、第１の遮光率として９９％乃至７０％のいずれかの値を挙げることができるし、第２の照度測定値として０．０１ルクスを挙げることができるし、第２の遮光率として４９％乃至１％のいずれかの値を挙げることができる。【０１５５】
尚、実施例９における環境照度測定センサ７２１を、実施例１〜実施例７において説明した表示装置に適用することができる。また、表示装置がカメラ１７を備えている場合、カメラ１７に備えられた露出測定用の受光素子から環境照度測定センサ７２１を構成することもできる。【０１５６】
実施例９あるいは次に述べる実施例１０の表示装置にあっては、環境照度測定センサの測定結果に基づき、調光装置の遮光率を制御し、また、環境照度測定センサの測定結果に基づき、画像形成装置によって形成される画像の輝度を制御し、また、透過光照度測定センサの測定結果に基づき、調光装置の遮光率を制御し、また、透過光照度測定センサの測定結果に基づき、画像形成装置によって形成される画像の輝度を制御するので、観察者が観察する虚像に高いコントラストを与えることができるだけでなく、表示装置の置かれた周囲の環境の照度に依存して虚像の観察状態の最適化を図ることができる。
【実施例１０】
【０１５７】
実施例１０も、実施例８の変形である。実施例１０の表示装置を上方から眺めた模式図を図２６Ａに示す。また、透過光照度測定センサを制御する回路の模式図を図２６Ｂに示す。【０１５８】
実施例１０の表示装置は、外部環境から調光装置を透過した光に基づく照度を測定する、即ち、環境光が調光装置を透過して所望の照度まで調整されて入射しているかを測定する透過光照度測定センサ７２２を更に備えており、透過光照度測定センサ７２２の測定結果に基づき、調光装置７００の遮光率を制御する。併せて、あるいは、独立して、また、透過光照度測定センサ７２２の測定結果に基づき、画像形成装置１１０によって形成される画像の輝度を制御する。周知の構成、構造を有する透過光照度測定センサ７２２は、導光板１２１よりも観察者側に配置されている。具体的には、透過光照度測定センサ７２２は、例えば、筐体１１４の内側面や、導光板１２１の観察者側の面に配置すればよい。透過光照度測定センサ７２２は、図示しないコネクタ及び配線を介して制御装置１８に接続されている。制御装置１８には、透過光照度測定センサ７２２を制御する回路が含まれる。この透過光照度測定センサ７２２を制御する回路は、透過光照度測定センサ７２２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０を制御する透過光照度測定センサ制御回路から構成されているが、これらの回路は周知の回路から構成することができる。調光装置７００の制御において、調光装置７００の遮光率の制御を行い、一方、画像形成装置１１０の制御において、画像形成装置１１０によって形成される画像の輝度の制御を行う。尚、調光装置７００における遮光率の制御と画像形成装置１１０における画像の輝度の制御は、それぞれ、独立して行ってもよいし、相関を付けて行ってもよい。更に、透過光照度測定センサ７２２の測定結果が環境照度測定センサ７２１の照度から鑑みて所望の照度まで制御できていない場合、即ち、透過光照度測定センサ７２２の測定結果が所望の照度になっていない場合、若しくは、更に一層の微妙な照度調整が望まれる場合には、透過光照度測定センサ７２２の値をモニターしながら調光装置の遮光率を調整すればよい。透過光照度測定センサを、少なくとも２つ、配置し、高遮光率の部分を通過した光に基づく照度の測定、低遮光率の部分を通過した光に基づく照度の測定を行ってもよい。【０１５９】
尚、実施例１０における透過光照度測定センサ７２２を、実施例１〜実施例７において説明した表示装置に適用することができる。あるいは又、実施例１０における透過光照度測定センサ７２２と実施例９における環境照度測定センサ７２１とを組み合わせてもよく、この場合、種々の試験を行い、調光装置７００における遮光率の制御と画像形成装置１１０における画像の輝度の制御を、それぞれ、独立して行ってもよいし、相関を付けて行ってもよい。右眼用の調光装置と左眼用の調光装置のそれぞれにおいて、第１透明電極及び第２透明電極に印加する電圧を調整することで、右眼用の調光装置における遮光率及び左眼用の調光装置における遮光率の均等化を図ることができる。第１透明電極と第２透明電極との間の電位差を制御してもよいし、第１透明電極に印加する電圧と第２透明電極に印加する電圧とを独立に制御してもよい。右眼用の調光装置における遮光率及び左眼用の調光装置における遮光率は、例えば、透過光照度測定センサ７２２の測定結果に基づき、制御することができるし、あるいは又、観察者が、右眼用の調光装置及び導光板を通過した光の明るさ及び左眼用の調光装置及び導光板を通過した光の明るさを観察し、観察者が、スイッチやボタン、ダイアル、スライダ、ノブ等を操作することで手動にて制御、調整することもできる。【０１６０】
以上、本開示を好ましい実施例に基づき説明したが、本開示はこれらの実施例に限定するものではない。実施例において説明した表示装置（頭部装着型ディスプレイ）、画像表示装置、画像形成装置の構成、構造は例示であり、適宜変更することができる。また、光学部材、移動装置、画像移動手段、レンズ系の構成、構造も例示であり、適宜、変更することができる。例えば、導光板に表面レリーフ型ホログラム（米国特許第２００４００６２５０５Ａ１参照）を配置してもよい。第１偏向手段等を透過型回折格子部材から構成することもできる。あるいは又、回折格子部材を、反射型ブレーズド回折格子部材とすることもできる。本開示の表示装置は、立体視ディスプレイ装置として用いることもできる。【０１６１】
実施例においては、画像形成装置は、単色（例えば、緑色）の画像を表示するとして説明したが、画像形成装置はカラー画像を表示することもでき、この場合、光源を、例えば、赤色、緑色、青色のそれぞれを出射する光源から構成すればよい。具体的には、例えば、赤色発光素子、緑色発光素子、青色発光素子のそれぞれから出射された赤色光、緑色光及び青色光をライトパイプを用いて混色、輝度均一化を行うことで白色光を得ればよい。【０１６２】
光学部材の焦点距離を可変とするために、光学部材１４２を液体レンズから構成してもよい。このような液体レンズの模式的な断面図を図２７に示し、平面図を図２８に示すが、液体レンズはフレネルレンズから構成され、リング状のレンズ室が同心に配置されている。光学部材の焦点距離を可変とすることは、支持基板をＺ方向に移動させることと等価である。【０１６３】
即ち、液体レンズは、
（Ａ）終端部を有していない、所謂エンドレスの外壁部材４５、
外壁部材４５の頂面に取り付けられた天板４１、及び、
外壁部材４５の底面に取り付けられた底板４２、
を備えたハウジング、並びに、
（Ｂ）終端部を有しておらず、外壁部材４５と同心に配置された（Ｎ−１）個の隔壁部材４３、
を備えている。尚、ハウジングの外形形状は円形である。そして、（Ｎ−１）個の環状レンズ室、及び、第（Ｎ−１）番目の隔壁部材４３によって囲まれた中央レンズ室を有している。ここで、図示した例にあっては、Ｎ＝３とした。各レンズ室４４（４４1，４４2，４４3）は、液体レンズを構成する第１の液体３１及び第２の液体３２によって占められている。【０１６４】
第１の液体３１と第２の液体３２とは、不溶、不混合であり、第１の液体３１と第２の液体３２との界面がレンズ面を構成する。ここで、第１の液体３１は導電性を有し、第２の液体３２は絶縁性を有し、第１電極５１は第１の液体３１と接しており、第２電極５２は絶縁膜４６を介して第１の液体３１及び第２の液体３２と接しており、第３電極５３は絶縁膜４６を介して第１の液体３１及び第２の液体３２と接している。また、天板４１、底板４２、隔壁部材４３、及び、第１電極５１は、液体レンズに入射する光に対して透明な材料から構成されている。【０１６５】
より具体的には、天板４１、底板４２、隔壁部材４３は、ガラス、あるいは、アクリル系樹脂等の樹脂から作製されている。また、導電性を有する第１の液体３１は塩化リチウム水溶液から成り、密度は１．０６グラム／ｃｍ3であり、屈折率は１．３４である。一方、絶縁性を有する第２の液体３２はシリコーンオイル（モメンティブ・パフォーマンス・マテリアルズ・ジャパン合同会社製ＴＳＦ４３７）から成り、密度は１．０２グラム／ｃｍ3であり、屈折率は１．４９である。また、第１電極５１はＩＴＯから成り、第２電極５２及び第３電極５３は、例えば、金、アルミニウム、銅、銀等の金属電極から成る。更には、絶縁膜４６は、ポリパラキシレンや酸化タンタル、酸化チタン等の金属酸化物から成る。尚、絶縁膜４６の上に撥水処理層（図示せず）が設けられている。撥水処理層はポリパラキシリレンやフッ素系のポリマーから成る。第１電極５１の表面に親水処理を施すことが好ましい。【０１６６】
第１番目のレンズ室（環状レンズ室）４４1は、外壁部材４５、第１番目の隔壁部材４３、天板４１、及び、底板４２から構成されている。そして、第１番目のレンズ室４４1を構成する天板４１の部分の内面には、第１電極５１が設けられており、第１番目のレンズ室４４1を構成する外壁部材４５の部分の内面には、第２電極５２が設けられており、第１番目のレンズ室４４1を構成する第１番目の隔壁部材４３の部分の内面には、第３電極５３が設けられている。【０１６７】
第（ｎ＋１）番目のレンズ室（環状レンズ室）４４(n+1)は、第ｎ番目（但し、ｎ＝１，２・・・Ｎ−２）の隔壁部材４３、第（ｎ＋１）番目の隔壁部材４３、天板４１、及び、底板４２から構成されている。そして、第（ｎ＋１）番目のレンズ室４４(n+1)を構成する天板４１の部分の内面には、第１電極５１が設けられており、第（ｎ＋１）番目のレンズ室４４(n+1)を構成する第ｎ番目の隔壁部材４３の部分の内面には、第２電極５２が設けられており、第（ｎ＋１）番目のレンズ室４４(n+1)を構成する第（ｎ＋１）番目の隔壁部材４３の部分の内面には、第３電極５３が設けられている。【０１６８】
第Ｎ番目のレンズ室４４Nに相当する中央レンズ室４４3を構成する天板４１の部分の内面には、第１電極５１が設けられており、中央レンズ室４４3を構成する第（Ｎ−１）番目の隔壁部材４３の部分の内面には、第３電極５３が設けられている。【０１６９】
尚、図示した例では、各レンズ室毎に第１電極５１が設けられているが、天板４１の内面に１枚の第１電極５１を設けてもよい。【０１７０】
この液体レンズにおいては、少なくとも第１の液体３１と第２の液体３２との界面が位置する外壁部材４５及び隔壁部材４３のそれぞれの表面には、撥水処理が施されている。底板４２から光が入射し、天板４１から光が出射する。そして、各レンズ室４４1，４４2，４４3において、第２電極５２に印加する電圧と第３電極５３に印加する電圧とを異ならせることで、液体レンズの光学的パワーを変化させる。あるいは又、各レンズ室４４1，４４2，４４3において、第２電極５２に印加する電圧と第３電極５３に印加する電圧とを異ならせることで、液体レンズ全体としてフレネルレンズが構成される。【０１７１】
尚、本開示は、以下のような構成を取ることもできる。
［Ａ０１］《画像表示装置》
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている画像表示装置。
［Ａ０２］Ｘ方向及びＹ方向に直交する方向をＺ方向としたとき、移動装置は、更に、支持基板をＺ方向に移動させる［Ａ０１］に記載の画像表示装置。
［Ａ０３］支持基板の移動によって、導光板に対して、支持基板を、Ｘ方向、又は、Ｘ方向及びＹ方向に移動させ、以て、光学部材は入射された光を観察者の瞳に向けて出射する［Ａ０１］又は［Ａ０２］に記載の画像表示装置。
［Ａ０４］支持基板の移動に拘わらず、導光板の内部を全反射により伝播する光の導光板内における全反射回数は変わらない［Ａ０１］乃至［Ａ０３］のいずれか１項に記載の画像表示装置。
［Ａ０５］画像形成装置から導光板へ向かう光を制御する画像移動手段を更に備えている［Ａ０１］乃至［Ａ０４］のいずれか１項に記載の画像表示装置。
［Ａ０６］画像移動手段は、画像形成装置を、導光板に対して相対的に、Ｘ方向に移動させ、又は、Ｘ方向及びＹ方向に移動させ、又は、ＸＹ平面内を移動させる［Ａ０５］に記載の画像表示装置。
［Ａ０７］画像移動手段は、画像形成装置から出射される光の出射位置を変える［Ａ０５］に記載の画像表示装置。
［Ａ０８］第１偏向手段及び第２偏向手段はホログラム回折格子から成る［Ａ０１］乃至［Ａ０７］のいずれか１項に記載の画像表示装置。
［Ａ０９］光学部材は、ホログラムレンズから成る［Ａ０１］乃至［Ａ０８］のいずれか１項に記載の画像表示装置。
［Ａ１０］画像形成装置は、レーザ光源、及び、ＭＥＭＳミラーから成る［Ａ０１］乃至［Ａ０９］のいずれか１項に記載の画像表示装置。
［Ａ１１］導光板は、画像形成装置からの光が入射する第１面、及び、第１面と対向する第２面を有しており、
第１偏向手段は、導光板の第１面又は第２面上に配置されており、
第２偏向手段は、導光板の第１面又は第２面上に配置されており、
光学部材は、導光板の第１面又は第２面に対向して配置されている［Ａ０１］乃至［Ａ１０］のいずれか１項に記載の画像表示装置。
［Ａ１２］観察者の瞳の像の位置に基づき、移動装置は支持基板を移動させる［Ａ０１］乃至［Ａ１１］のいずれか１項に記載の画像表示装置。
［Ａ１３］支持基板に隣接して、観察者の瞳の像を撮像する撮像装置を更に備えている［Ａ１２］に記載の画像表示装置。
［Ａ１４］光学部材は正の光学的パワーを有する［Ａ０１］乃至［Ａ１３］のいずれか１項に記載の画像表示装置。
［Ａ１５］移動装置は、ラック・アンド・ピニオン、圧電素子、ボイスコイルモータ又は超音波モータを備えている［Ａ０１］乃至［Ａ１４］のいずれか１項に記載の画像表示装置。
［Ｂ０１］《表示装置》
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
画像形成装置からの光は、第１偏向手段において偏向され、導光板の内部を全反射により伝播し、第２偏向手段において偏向され、光学部材に入射し、
光学部材は、入射した光を観察者の瞳に向けて出射し、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている表示装置。
［Ｂ０２］《表示装置》
（Ａ）観察者の頭部に装着されるフレーム、並びに、
（Ｂ）フレームに取り付けられた画像表示装置、
を備えた表示装置であって、
画像表示装置は、［Ａ０１］乃至［Ａ１５］のいずれか１項に記載の画像表示装置から成る表示装置。
［Ｃ０１］《表示装置の調整方法》
（Ａ）観察者の頭部に装着されるフレーム、並びに、
（Ｂ）フレームに取り付けられた画像表示装置、
を備えた表示装置であって、
画像表示装置は、
画像形成装置、
導光板、
導光板と離間して配置された支持基板、
導光板に取り付けられた第１偏向手段、
導光板に取り付けられた第２偏向手段、及び、
第２偏向手段と対向して支持基板に取り付けられた光学部材、
を備えており、
導光板の軸線方向をＸ方向、導光板の高さ方向をＹ方向としたとき、第２偏向手段と光学部材との相対的な位置関係を変更するために、導光板に対して、支持基板を、Ｘ方向、又は、Ｘ方向及びＹ方向に移動させる移動装置を更に備えている表示装置の調整方法であって、
画像形成装置からの光を、第１偏向手段において偏向させ、導光板の内部を全反射により伝播させ、第２偏向手段において偏向させ、光学部材に入射させ、移動装置によって、導光板に対して、支持基板を、Ｘ方向、又は、Ｘ方向及びＹ方向に移動させ、以て、光学部材から出射された光を観察者の瞳に入射させる、表示装置の調整方法。
［Ｃ０２］《表示装置の調整方法》
［Ｂ０２］に記載の表示装置の調整方法であって、
画像形成装置からの光を、第１偏向手段において偏向させ、導光板の内部を全反射により伝播させ、第２偏向手段において偏向させ、光学部材に入射させ、移動装置によって、導光板に対して、支持基板を、Ｘ方向、又は、Ｘ方向及びＹ方向に移動させ、以て、光学部材から出射された光を観察者の瞳に入射させる、表示装置の調整方法。
［Ｃ０３］移動装置によって、導光板に対して、支持基板を、Ｘ方向、又は、Ｘ方向及びＹ方向に移動させ、以て、光学部材から出射され、観察者の瞳に入射する画像の光強度の最適化を図る［Ｃ０１］又は［Ｃ０２］に記載の表示装置の調整方法。
［Ｃ０４］観察者の瞳の像の位置に基づき、移動装置によって支持基板を移動させる［Ｃ０１］乃至［Ｃ０３］のいずれか１項に記載の表示装置の調整方法。
【符号の説明】
【０１７２】
１０・・・フレーム、１０’・・・ノーズパッド、１１・・・フロント部、１１’・・・フロント部の中央部分、１２・・・蝶番、１３・・・テンプル部、１４・・・モダン部、１５・・・配線（信号線や電源線等）、１６・・・ヘッドホン部、１６’・・・ヘッドホン部用配線、１７・・・カメラ、１８・・・制御装置（制御回路、制御手段）、１９・・・取付け部材、２０・・・観察者、２１・・・瞳、１００，２００，３００，４００・・・画像表示装置、１１０，１１０Ａ・・・画像形成装置、１１１・・・光源、１１２・・・走査手段、１１３・・・レンズ系、１１４，１１９・・・筐体、１１５・・・空間光変調装置（有機ＥＬ表示装置）、１１６・・・第１のレンズ、１１７・・・第２のレンズ、１１８・・・絞り、１２１・・・導光板、１２２・・・導光板の第１面、１２３・・・導光板の第２面、１２４・・・封止部材、１２５・・・透明保護部材、１３１，１３３・・・第１偏向手段、１３２・・・第２偏向手段、１４１・・・支持基板（支持板）、１４２・・・光学部材、１５０・・・移動装置、１５１・・・ピニオンギア部、１５１Ａ，１５１Ｂ・・・摘み、１５２・・・支持部材、１５３・・・ラックギア部、１５４・・・ガイド部、７５・・・天板、７６・・・底板、７７・・・隔壁部材、７８，７８1．７８2，７８3・・・レンズ室、７９・・・外壁部材、８１・・・第１電極、８２・・・第２電極、８３・・・第３電極、５０１，６０１・・・遮光部材、７００・・・調光装置、７０１・・・第１基板（透明保護部材が兼用）、７０２・・・第１透明電極、７０２Ａ・・・第１透明電極セグメント、７０３・・・第２基板、７０４・・・第２透明電極、７０４Ａ・・・第２透明電極セグメント、７０５・・・調光層、７０５Ａ・・・ＷＯ3層、７０５Ｂ・・・Ｔａ2Ｏ5層、７０５Ｃ・・・ＩｒXＳｎ1-XＯ層、７０６・・・保護層、７０７・・・封止材、７０８・・・調光装置の遮光率が変化する最小単位領域、７１１・・・虚像投影領域、７１２・・・調光装置の他の領域、１３２Ａ・・・仮想矩形、７２１・・・環境照度測定センサ、７２２・・・透過光照度測定センサ
【図１】
2018016163.tif 000003
【図２】
2018016163.tif 000004
【図３】
2018016163.tif 000005
【図４】
2018016163.tif 000006
【図５】
2018016163.tif 000007
【図６】
2018016163.tif 000008
【図７】
2018016163.tif 000009
【図８】
2018016163.tif 000010
【図９】
2018016163.tif 000011
【図１０】
2018016163.tif 000012
【図１１】
2018016163.tif 000013
【図１２】
2018016163.tif 000014
【図１３】
2018016163.tif 000015
【図１４】
2018016163.tif 000016
【図１５】
2018016163.tif 000017
【図１６】
2018016163.tif 000018
【図１７】
2018016163.tif 000019
【図１８】
2018016163.tif 000020
【図１９】
2018016163.tif 000021
【図２０】
2018016163.tif 000022
【図２１】
2018016163.tif 000023
【図２２】
2018016163.tif 000024
【図２３】
2018016163.tif 000025
【図２４】
2018016163.tif 000026
【図２５】
2018016163.tif 000027
【図２６】
2018016163.tif 000028
【図２７】
2018016163.tif 000029
【図２８】
2018016163.tif 000030
【図２９】
2018016163.tif 000031
【国際調査報告】
2018016163.tif 000032
2018016163.tif 000033
2018016163.tif 000034
2018016163.tif 000035